(57)【要約】      （修正有）【課題】災いの発生の通知や発生の予告の通知があっても、システムダウンや通知の集中を低減できる被監視者監視支援システム、該方法および中央管理装置を提供する。【解決手段】被監視者監視支援システムＭＳａは、監視対象である被監視者Ｏｂ−１〜Ｏｂ−４に関わる所定のイベントを検知して固定端末装置ＳＰ、携帯端末装置ＴＡ−１、ＴＡ−２へ通知することによって、被監視者の監視を支援する。管理サーバＳＶａは、災いの発生に関する災い情報の通知を受けたか否かを判定する災い情報通知判定部と、災い情報通知判定部で災い情報の通知有りを判定した場合に、各端末装置が受けるイベントの通知を停止するイベント通知停止部とを備える。【選択図】図１
2019212172.tif 000002
【特許請求の範囲】
【請求項１】
監視対象である被監視者に関わる所定のイベントを検知して端末装置へ通知することによって、前記被監視者の監視を支援するための被監視者監視支援システムであって、
災いの発生に関する災い情報の通知を受けたか否かを判定する災い情報通知判定部と、
前記災い情報通知判定部で前記災い情報の通知有りを判定した場合に、前記端末装置が受ける前記イベントの通知を停止するイベント通知停止部とを備える、
被監視者監視支援システム。
【請求項２】
前記被監視者に対応して設けられ、前記被監視者に関わる所定のイベントを検知するセンサ装置と、
前記センサ装置と通信可能に接続され、前記センサ装置で検知されたイベントの通知を受けて前記イベントを管理する中央管理装置とを備え、
前記端末装置は、前記中央管理装置と通信可能に接続され前記中央管理装置を介して前記センサ装置で検知されたイベントの通知を受ける、
請求項１に記載の被監視者監視支援システム。
【請求項３】
前記中央管理装置は、前記災い情報通知判定部および前記イベント通知停止部を備え、
前記イベント通知停止部は、前記災い情報通知判定部で前記災い情報の通知有りを判定した場合であって、前記センサ装置からイベントの通知を受けた場合に、前記端末装置へのイベントの通知を停止する、
請求項２に記載の被監視者監視支援システム。
【請求項４】
前記被監視者に対応して設けられ、前記被監視者の部屋に前記被監視者が滞在しているか否かを検知し、滞在有りの検知結果を前記被監視者に対応して設けられたセンサ装置へ通知する滞在検知装置をさらに備え、
前記中央管理装置は、前記災い情報通知判定部で前記災い情報の通知有りを判定した場合に、前記災い情報の通知を受けたことを表す災い情報通知情報を前記センサ装置へ通知する災い情報通知部を備え、
前記センサ装置は、前記中央管理装置から前記災い情報通知情報の通知を受けた場合であって、前記災い情報通知情報の通知を受けた時刻から所定の時間の経過後に、前記滞在検知装置から、前記滞在有りの検知結果の通知を受けた場合に、前記滞在有りの検知結果を前記中央管理装置へ通知する第１滞在通知部を備え、
前記中央管理装置は、前記センサ装置から、前記滞在有りの検知結果の通知を受けた場合に、前記滞在有りの検知結果を前記端末装置へ通知する第２滞在通知部を備える、
請求項３に記載の被監視者監視支援システム。
【請求項５】
前記中央管理装置は、前記災い情報通知判定部を備え、
前記イベント通知停止部は、
前記中央管理装置に備えられ、前記災い情報通知判定部で前記災い情報の通知有りを判定した場合に、前記センサ装置に、前記中央管理装置へのイベントの通知の停止を指示する停止指示情報を通知する第１イベント通知停止部と、
前記センサ装置に備えられ、前記中央管理装置から前記停止指示情報の通知を受けた場合に、前記イベントを検知した際に前記検知したイベントの前記中央管理装置への通知を停止する第２イベント通知停止部とを備える、
請求項２に記載の被監視者監視支援システム。
【請求項６】
前記被監視者に対応して設けられ、前記被監視者の部屋に前記被監視者が滞在しているか否かを検知し、滞在有りの検知結果を前記被監視者に対応して設けられたセンサ装置へ通知する滞在検知装置をさらに備え、
前記センサ装置は、前記中央管理装置から前記停止指示情報の通知を受けた場合であって、前記停止指示情報の通知を受けた時刻から所定の時間の経過後に、前記滞在検知装置から、前記滞在有りの検知結果の通知を受けた場合に、前記滞在有りの検知結果を前記中央管理装置へ通知する第１滞在通知部を備え、
前記中央管理装置は、前記センサ装置から、前記滞在有りの検知結果の通知を受けた場合に、前記滞在有りの検知結果を前記端末装置へ通知する第２滞在通知部を備える、
請求項５に記載の被監視者監視支援システム。
【請求項７】
前記イベントは、前記被監視者が起きた起床および前記被監視者が寝具から離れた離床を含む、
請求項１ないし請求項６のいずれか１項に記載の被監視者監視支援システム。
【請求項８】
前記災い情報は、緊急地震速報によって通知される地震発生である、
請求項１ないし請求項７のいずれか１項に記載の被監視者監視支援システム。
【請求項９】
火災の発生を検知し、火災発生の検知結果を前記災い情報通知判定部へ通知する火災発生検知部をさらに備え、
前記災い情報は、前記火災発生検知部によって通知される火災発生の検知結果である、
請求項１ないし請求項７のいずれか１項に記載の被監視者監視支援システム。
【請求項１０】
地震の発生を検知し、地震発生の検知結果を前記災い情報通知判定部へ通知する地震発生検知部をさらに備え、
前記災い情報は、前記地震発生検知部によって通知される地震発生の検知結果である、
請求項１ないし請求項７のいずれか１項に記載の被監視者監視支援システム。
【請求項１１】
前記災い情報を放送する放送部を備える、
請求項１ないし請求項１０のいずれか１項に記載の被監視者監視支援システム。
【請求項１２】
監視対象である被監視者に関わる所定のイベントを検知して端末装置へ通知することによって、前記被監視者の監視を支援するための被監視者監視支援システムにおける被監視者監視支援方法であって、
災いの発生に関する災い情報の通知を受けたか否かを判定する災い情報通知判定工程と、
前記災い情報通知判定工程で前記災い情報の通知有りを判定した場合に、前記端末装置が受ける前記イベントの通知を停止するイベント通知停止工程とを備える、
被監視者監視支援方法。
【請求項１３】
監視対象である被監視者に関わる所定のイベントを検知して端末装置へ通知することによって、前記被監視者の監視を支援するための被監視者監視支援システムにおける前記イベントを管理する中央管理装置であって、
前記端末装置は、前記中央管理装置と通信可能に接続され前記中央管理装置を介して前記センサ装置で検知されたイベントの通知を受け、
災いの発生に関する災い情報の通知を受けたか否かを判定する災い情報通知判定部と、
前記災い情報通知判定部で前記災い情報の通知有りを判定した場合に、前記端末装置へのイベントの通知を停止するイベント通知停止部とを備える、
中央管理装置。
【請求項１４】
監視対象である被監視者に対応して設けられ、前記被監視者に関わる所定のイベントを検知するセンサ装置、前記センサ装置と通信可能に接続され、前記センサ装置で検知されたイベントの通知を受けて前記イベントを管理する中央管理装置、および、前記中央管理装置と通信可能に接続され前記中央管理装置を介して前記センサ装置で検知されたイベントの通知を受ける端末装置を備え、前記被監視者の監視を支援するための被監視者監視支援システムにおける前記中央管理装置であって、
災いの発生に関する災い情報の通知を受けたか否かを判定する災い情報通知判定部と、
前記災い情報通知判定部で前記災い情報の通知有りを判定した場合に、前記センサ装置に、前記中央管理装置へのイベントの通知の停止を指示する停止指示情報を通知するイベント通知停止部とを備える、
中央管理装置。
【発明の詳細な説明】
【技術分野】
【０００１】
本発明は、被監視者の監視を支援するための被監視者監視支援システムおよび被監視者監視支援方法、ならびに、前記被監視者監視支援システムに用いられる中央管理装置に関する。
【背景技術】
【０００２】
近年、超高齢社会の突入に伴って、看護業界や介護業界等の業務を補完する技術が、研究、開発されており、例えば、特許文献１および特許文献２に開示されている。
【０００３】
この特許文献１に開示された被監視者監視システムは、監視対象である複数の被監視者それぞれに対応して設けられ、前記被監視者を検知する複数のセンサ装置、前記複数のセンサ装置それぞれと通信可能に接続され前記複数のセンサ装置それぞれから受信した各検知結果に基づく前記各被監視者に関する各監視情報を管理する中央処理装置、および、前記中央処理装置と通信可能に接続され前記監視情報を受信して表示する複数の端末装置を備える。そして、このような被監視者監視システムでは、起床、離床、転落、転倒およびナースコールを監視している。
【０００４】
前記特許文献２に開示されたナースコール装置は、地震計Ｐ波（Ｐｒｉｍａｒｙ  Ｗａｖｅ）センサーが予め設定した強度を超えるレベルを検出すると超過を知らせる信号を出力する手段と、前記地震計Ｐ波センサーを装備したナースコール親機が超過を知らせる信号を受け取るとナースコール子機へ地震発生を知らせる一斉放送を出力し、看護師が所有する携帯電話（ＰＨＳ：Ｐｅｒｓｏｎａｌ  Ｈａｎｄｙｐｈｏｎｅ  Ｓｙｓｔｅｍ）へ一斉呼び出しを行い前記携帯電話の表示部に地震情報を表示すると共に病室の出入り口近傍に設けられている廊下灯に担送・護送の必要がある患者を報知する表示を行う。
【先行技術文献】
【特許文献】
【０００５】
【特許文献１】特開２０１７−１５１６７５号公報
【特許文献２】特開２００７−１１７４５９号公報
【発明の概要】
【発明が解決しようとする課題】
【０００６】
ところで、前記特許文献１に開示された被監視者監視システムでは、被監視者に対し、起床、離床、転落、転倒およびナースコールのうちのいずれかが生じると、前記被監視者に対応して設けられたセンサ装置が検知し、この検知結果に基づく被監視者に関する監視情報が中央処理装置を介して端末装置へ通知され、前記監視情報が端末装置に表示される。このようなシステムにおいて、地震、津波および火災等の災いの発生の通知あるいは前記発生の予告の通知があると、その避難のために、各被監視者が起床や離床等の行動を行うため、これら各被監視者の各行動が各センサ装置それぞれによって次々に検知され、各センサ装置それぞれから次々に中央処理装置へ通知される。このため、中央処理装置の情報処理が大量となり、中央処理装置の情報処理能力によっては、情報処理が追いつかず、システムダウンしてしまう虞がある。中央処理装置の情報処理が追いついても、端末装置に、これら各被監視者の各行動が各センサ装置それぞれから次々に中央処理装置を介して通知される。このため、端末装置を扱う監視者は、通知に対し対応しきれない虞がある。
【０００７】
前記特許文献２に開示されたナースコール装置は、ナースコール子機へ地震発生を知らせる一斉放送を出力するので、上述の状況を生じさせてしまいかねず、回避することが難しい。
【０００８】
本発明は、上述の事情に鑑みて為された発明であり、その目的は、前記災いの発生の通知や前記発生の予告の通知があっても、システムダウンや通知の集中を低減できる被監視者監視支援システムおよび被監視者監視支援方法、ならびに、前記被監視者監視支援システムに用いられる中央管理装置を提供することである。
【課題を解決するための手段】
【０００９】
本発明者は、種々検討した結果、上記目的は、以下の本発明により達成されることを見出した。すなわち、本発明の一態様にかかる被監視者監視支援システムは、監視対象である被監視者に関わる所定のイベントを検知して端末装置へ通知することによって、前記被監視者の監視を支援するための被監視者監視支援システムであって、災いの発生に関する災い情報の通知を受けたか否かを判定する災い情報通知判定部と、前記災い情報通知判定部で前記災い情報の通知有りを判定した場合に、前記端末装置が受ける前記イベントの通知を停止するイベント通知停止部とを備える。好ましくは、上述の被監視者監視支援システムにおいて、前記被監視者に対応して設けられ、前記被監視者に関わる所定のイベントを検知するセンサ装置と、前記センサ装置と通信可能に接続され、前記センサ装置で検知されたイベントの通知を受けて前記イベントを管理する中央管理装置とを備え、前記端末装置は、前記中央管理装置と通信可能に接続され前記中央管理装置を介して前記センサ装置で検知されたイベントの通知を受ける。
【００１０】
このような被監視者監視支援システムは、災い情報の通知有りを判定した場合に、端末装置が受けるイベントの通知を停止するので、前記災いの発生の通知や前記発生の予告の通知があっても、システムダウンや通知の集中を低減できる。
【００１１】
他の一態様では、上述の被監視者監視支援システムにおいて、前記中央管理装置は、前記災い情報通知判定部および前記イベント通知停止部を備え、前記イベント通知停止部は、前記災い情報通知判定部で前記災い情報の通知有りを判定した場合であって、前記センサ装置からイベントの通知を受けた場合に、前記端末装置へのイベントの通知を停止する。
【００１２】
このような被監視者監視支援システムは、前記センサ装置からイベントの通知を受けた場合に、前記端末装置へのイベントの通知を停止するので、前記端末装置へのイベントの通知を処理する必要がないため、システムダウンを低減でき、また、通知の集中をより確実に低減できる。一方、前記センサ装置からイベントの通知を受けるので、中央管理装置は、イベントの検知を記録することが可能となる。
【００１３】
他の一態様では、上述の被監視者監視支援システムにおいて、前記被監視者に対応して設けられ、前記被監視者の部屋に前記被監視者が滞在しているか否かを検知し、滞在有りの検知結果を前記被監視者に対応して設けられたセンサ装置へ通知する滞在検知装置をさらに備え、前記中央管理装置は、前記災い情報通知判定部で前記災い情報の通知有りを判定した場合に、前記災い情報の通知を受けたことを表す災い情報通知情報を前記センサ装置へ通知する災い情報通知部を備え、前記センサ装置は、前記中央管理装置から前記災い情報通知情報の通知を受けた場合であって、前記災い情報通知情報の通知を受けた時刻から所定の時間の経過後に、前記滞在検知装置から、前記滞在有りの検知結果の通知を受けた場合に、前記滞在有りの検知結果を前記中央管理装置へ通知する第１滞在通知部を備え、前記中央管理装置は、前記センサ装置から、前記滞在有りの検知結果の通知を受けた場合に、前記滞在有りの検知結果を前記端末装置へ通知する第２滞在通知部を備える。
【００１４】
前記災いの発生の通知や前記発生の予告の通知があった場合に、自力で移動できる被監視者は、避難できるが、身体の不自由等により元々自力で移動できない被監視者や、避難中に転倒してしまった結果、自力で移動できなくなった被監視者は、取り残される虞がある。上記被監視者監視支援システムは、前記災い情報通知情報の通知を受けた時刻から所定の時間の経過後に、前記滞在検知装置から、前記滞在有りの検知結果の通知を受けた場合に、前記滞在有りの検知結果を、センサ装置から中央管理装置を介して端末装置へ通知するので、前記端末装置を扱う監視者は、このような自力で移動できない被監視者の避難に対処することが可能となる。
【００１５】
他の一態様では、上述の被監視者監視支援システムにおいて、前記中央管理装置は、前記災い情報通知判定部を備え、前記イベント通知停止部は、前記中央管理装置に備えられ、前記災い情報通知判定部で前記災い情報の通知有りを判定した場合に、前記センサ装置に、前記中央管理装置へのイベントの通知の停止を指示する停止指示情報を通知する第１イベント通知停止部と、前記センサ装置に備えられ、前記中央管理装置から前記停止指示情報の通知を受けた場合に、前記イベントを検知した際に前記検知したイベントの前記中央管理装置への通知を停止する第２イベント通知停止部とを備える。
【００１６】
このような被監視者監視支援システムは、イベントを検知して前記イベントを通知するセンサ装置で前記検知したイベントの中央管理装置への通知を停止するので、システムダウンや通知の集中をより確実に低減でき、システムの通信トラフィックの増加も回避できる。
【００１７】
他の一態様では、上述の被監視者監視支援システムにおいて、前記被監視者に対応して設けられ、前記被監視者の部屋に前記被監視者が滞在しているか否かを検知し、滞在有りの検知結果を前記被監視者に対応して設けられたセンサ装置へ通知する滞在検知装置をさらに備え、前記センサ装置は、前記中央管理装置から前記停止指示情報の通知を受けた場合であって、前記停止指示情報の通知を受けた時刻から所定の時間の経過後に、前記滞在検知装置から、前記滞在有りの検知結果の通知を受けた場合に、前記滞在有りの検知結果を前記中央管理装置へ通知する第１滞在通知部を備え、前記中央管理装置は、前記センサ装置から、前記滞在有りの検知結果の通知を受けた場合に、前記滞在有りの検知結果を前記端末装置へ通知する第２滞在通知部を備える。
【００１８】
このような被監視者監視支援システムは、前記停止指示情報の通知を受けた時刻から所定の時間の経過後に、前記滞在検知装置から、前記滞在有りの検知結果の通知を受けた場合に、前記滞在有りの検知結果を、センサ装置から中央管理装置を介して端末装置へ通知するので、前記端末装置を扱う監視者は、上述の自力で移動できない被監視者の避難に対処することが可能となる。
【００１９】
他の一態様では、これら上述の被監視者監視支援システムにおいて、前記イベントは、前記被監視者が起きた起床および前記被監視者が寝具から離れた離床を含む。
【００２０】
前記災いの発生の通知や前記発生の予告の通知があった場合に、被監視者は、避難行動を取るため、起床や離床のイベントが生じ易い。上記被監視者監視支援システムは、前記イベントが前記起床および前記離床を含むので、効果的に、システムダウンや通知の集中を低減できる。
【００２１】
他の一態様では、これら上述の被監視者監視支援システムにおいて、前記災い情報は、緊急地震速報によって通知される地震発生である。
【００２２】
これによれば、緊急地震速報の際にシステムダウンや通知の集中を低減できる被監視者監視支援システムが提供できる。
【００２３】
他の一態様では、これら上述の被監視者監視支援システムにおいて、火災の発生を検知し、火災発生の検知結果を前記災い情報通知判定部へ通知する火災発生検知部をさらに備え、前記災い情報は、火災発生検知部によって通知される火災発生の検知結果である。
【００２４】
これによれば、火災発生検知部で検知した火災発生の際にシステムダウンや通知の集中を低減できる被監視者監視支援システムが提供できる。
【００２５】
他の一態様では、これら上述の被監視者監視支援システムにおいて、地震の発生を検知し、地震発生の検知結果を前記災い情報通知判定部へ通知する地震発生検知部をさらに備え、前記災い情報は、地震発生検知部によって通知される地震発生の検知結果である。
【００２６】
これによれば、地震発生検知部で検知した地震発生の際にシステムダウンや通知の集中を低減できる被監視者監視支援システムが提供できる。
【００２７】
他の一態様では、これら上述の被監視者監視支援システムにおいて、前記災い情報を放送する放送部を備える。
【００２８】
このような被監視者監視支援システムは、放送部を備えるので、当該被監視者監視支援システムの配設されたところの被監視者および監視者等に、災い情報を報知できる。
【００２９】
本発明の他の一態様にかかる被監視者監視支援方法は、監視対象である被監視者に関わる所定のイベントを検知して端末装置へ通知することによって、前記被監視者の監視を支援するための被監視者監視支援システムにおける方法であって、災いの発生に関する災い情報の通知を受けたか否かを判定する災い情報通知判定工程と、前記災い情報通知判定工程で前記災い情報の通知有りを判定した場合に、前記端末装置が受ける前記イベントの通知を停止するイベント通知停止工程とを備える。
【００３０】
このような被監視者監視支援方法は、災い情報の通知有りを判定した場合に、端末装置が受けるイベントの通知を停止するので、前記災いの発生の通知や前記発生の予告の通知があっても、システムダウンや通知の集中を低減できる。
【００３１】
本発明の他の一態様にかかる中央管理装置は、監視対象である被監視者に関わる所定のイベントを検知して端末装置へ通知することによって、前記被監視者の監視を支援するための被監視者監視支援システムにおける前記イベントを管理する中央管理装置であって、前記端末装置は、前記中央管理装置と通信可能に接続され前記中央管理装置を介して前記センサ装置で検知されたイベントの通知を受け、災いの発生に関する災い情報の通知を受けたか否かを判定する災い情報通知判定部と、前記災い情報通知判定部で前記災い情報の通知有りを判定した場合に、前記端末装置へのイベントの通知を停止するイベント通知停止部とを備える。
【００３２】
これによれば、被監視者監視支援システムに用いられる中央管理装置が提供できる。上記中央管理装置は、前記端末装置へのイベントの通知を停止するので、前記端末装置へのイベントの通知を処理する必要がないため、システムダウンを低減でき、また、通知の集中をより確実に低減できる。一方、中央管理装置は、イベントの検知を記録することが可能となる。
【００３３】
本発明の他の一態様にかかる中央管理装置は、監視対象である被監視者に対応して設けられ、前記被監視者に関わる所定のイベントを検知するセンサ装置、前記センサ装置と通信可能に接続され、前記センサ装置で検知されたイベントの通知を受けて前記イベントを管理する中央管理装置、および、前記中央管理装置と通信可能に接続され前記中央管理装置を介して前記センサ装置で検知されたイベントの通知を受ける端末装置を備え、前記被監視者の監視を支援するための被監視者監視支援システムにおける前記中央管理装置であって、災いの発生に関する災い情報の通知を受けたか否かを判定する災い情報通知判定部と、前記災い情報通知判定部で前記災い情報の通知有りを判定した場合に、前記センサ装置に、前記中央管理装置へのイベントの通知の停止を指示する停止指示情報を通知するイベント通知停止部とを備える。
【００３４】
これによれば、な被監視者監視支援システムに用いられる中央管理装置が提供できる。上記中央管理装置は、イベントを検知して前記イベントを通知するセンサ装置で前記検知したイベントの中央管理装置への通知を停止するので、システムダウンや通知の集中をより確実に低減でき、システムの通信トラフィックの増加も回避できる。
【発明の効果】
【００３５】
本発明にかかる被監視者監視支援システムおよび被監視者監視支援方法は、前記災いの発生の通知や前記発生の予告の通知があっても、システムダウンや通知の集中を低減できる。本発明によれば、このような被監視者監視支援システムに用いられる中央管理装置が提供できる。
【図面の簡単な説明】
【００３６】
【図１】実施形態における被監視者監視支援システムの構成を示す図である。
【図２】前記被監視者監視支援システムにおける第１実施形態のセンサ装置の構成を示すブロック図である。
【図３】前記被監視者監視支援システムにおける第１実施形態の管理サーバ装置の構成を示すブロック図である。
【図４】前記被監視者監視支援システムにおいて、災いの通知の無い場合でのイベントの通知に関する動作を示すシーケンス図である。
【図５】前記被監視者監視支援システムにおいて、災いの通知の有る場合でのイベントの通知に関する第１実施形態の動作を示すシーケンス図である。
【図６】前記被監視者監視支援システムにおける第２実施形態のセンサ装置の構成を示すブロック図である。
【図７】前記被監視者監視支援システムにおける第２実施形態の管理サーバ装置の構成を示すブロック図である。
【図８】前記被監視者監視支援システムにおいて、災いの通知の有る場合でのイベントの通知に関する第２実施形態の動作を示すシーケンス図である。
【図９】前記被監視者監視支援システムにおける第３実施形態のセンサ装置の構成を示すブロック図である。
【図１０】前記被監視者監視支援システムにおける第３実施形態の管理サーバ装置の構成を示すブロック図である。
【図１１】前記被監視者監視支援システムにおいて、災いの通知の有る場合でのイベントの通知に関する第３実施形態の動作を示すシーケンス図である。
【図１２】前記被監視者監視支援システムにおける第４実施形態のセンサ装置の構成を示すブロック図である。
【図１３】前記被監視者監視支援システムにおける第４実施形態の管理サーバ装置の構成を示すブロック図である。
【図１４】前記被監視者監視支援システムにおいて、災いの通知の有る場合でのイベントの通知に関する第４実施形態の動作を示すシーケンス図である。
【図１５】前記被監視者監視支援システムにおける第５実施形態のセンサ装置の構成を示すブロック図である。
【図１６】前記被監視者監視支援システムにおける第５実施形態の管理サーバ装置の構成を示すブロック図である。
【図１７】前記被監視者監視支援システムにおいて、災いの通知の有る場合でのイベントの通知に関する第５実施形態の動作を示すシーケンス図である。
【発明を実施するための形態】
【００３７】
以下、図面を参照して、本発明の１または複数の実施形態が説明される。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００３８】
実施形態における被監視者監視支援システムは、監視すべき（見守るべき）監視対象（見守り対象）である被監視者（見守り対象者、対象者）に関わる所定のイベントを検知して端末装置へ通知することによって、前記被監視者を監視する監視者（ユーザ）の前記監視を支援するものである。この被監視者監視支援システムは、例えば、前記イベントを検知して前記端末装置へ通知し、前記イベントを管理する中央管理装置を備えて良く、あるいは、被監視者監視支援システムは、例えば、前記イベントを検知するセンサ装置と、前記センサ装置で検知されたイベントの通知を受けて前記イベントを管理する中央管理装置とを備えても良い。より詳しくは、この被監視者監視支援システムは、被監視者に対応して設けられ、前記被監視者に関わる所定のイベントを検知するセンサ装置、前記センサ装置と通信可能に接続され、前記センサ装置で検知されたイベントの通知を受けて前記イベントを管理する中央管理装置、および、前記中央管理装置と通信可能に接続され前記中央管理装置を介して前記センサ装置で検知されたイベントの通知を受ける端末装置を備える。そして、本実施形態では、前記被監視者監視支援システムは、災いの発生に関する災い情報の通知を受けたか否かを判定する災い情報通知判定部と、前記災い情報通知判定部で前記災い情報の通知有りを判定した場合に、前記端末装置が受ける前記イベントの通知を停止するイベント通知停止部とを備えている。前記端末装置は、１種類の装置であって良いが、本実施形態態では、前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（ユーザ）に携行されて運用される点であり、これら固定端末装置と携帯端末装置とは、略同様である。このような被監視者監視支援システムについて、以下、第１ないし第５実施形態でより具体的に説明する。
【００３９】
（第１実施形態）
図１は、実施形態における被監視者監視支援システムの構成を示す図である。なお、図１には、第１実施形態の被監視者監視支援システムＭＳａだけでなく、後述の第２ないし第５実施形態の被監視者監視支援システムＭＳｂ〜ＭＳｅも示されている。図２は、前記被監視者監視支援システムにおける第１実施形態のセンサ装置の構成を示すブロック図である。図３は、前記被監視者監視支援システムにおける第１実施形態の管理サーバ装置の構成を示すブロック図である。
【００４０】
より具体的には、被監視者監視支援システムＭＳａは、例えば、図１に示すように、１または複数のセンサ装置ＳＵａ（ＳＵａ−１〜ＳＵａ−４）と、管理サーバ装置ＳＶａと、固定端末装置ＳＰと、１または複数の携帯端末装置ＴＡ（ＴＡ−１、ＴＡ−２）と、ゲートウェイ（Ｇａｔｅ  ｗａｙ）ＧＷと、館内放送設備ＢＣとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジ、ルーターおよび交換機等の中継機が備えられても良い。図１に示す例では、これら複数のセンサ装置ＳＵａ−１〜ＳＵａ−４、管理サーバ装置ＳＶａ、固定端末装置ＳＰ、複数の携帯端末装置ＴＡ−１、ＴＡ−２、ゲートウェイＧＷおよび館内放送設備ＢＣは、Ｌ２スイッチの集線装置（ハブ、ＨＵＢ）ＬＳおよびアクセスポイントＡＰを含む有線および無線の混在したＬＡＮ（例えばＩＥＥＥ８０２．１１やＩＥＥＥ８０２．３等のＩＥＥＥ８０２シリーズの規格に従ったＬＡＮ等）ＮＷによって互いに通信可能に接続されている。より詳しくは、複数のセンサ装置ＳＵａ−１〜ＳＵａ−４、管理サーバ装置ＳＶａ、固定端末装置ＳＰ、ゲートウェイＧＷおよび館内放送設備ＢＣは、集線装置ＬＳに接続され、複数の携帯端末装置ＴＡ−１、ＴＡ−２は、アクセスポイントＡＰを介して集線装置ＬＳに接続されている。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００４１】
被監視者監視支援システムＭＳａは、被監視者Ｏｂに応じて適宜な場所に配設される。被監視者（見守り対象者、対象者）Ｏｂは、本実施形態では、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視支援システムＭＳａは、被監視者Ｏｂの種類に応じて、病院、老人福祉施設および住戸等の建物に好適に配設される。図１に示す例では、被監視者監視支援システムＭＳａは、複数の被監視者Ｏｂが入居する複数の居室ＲＭや、ナースステーション等の複数の部屋を備える介護施設の建物に配設されている。
【００４２】
ゲートウェイＧＷは、ネットワークＮＷをいわゆるインターネットＩＮと接続するためのネットワークノードである。管理サーバ装置ＳＶａは、ゲートウェイＧＷを介してインターネットＩＮに通信可能に接続される。日本の気象庁が発報した緊急地震速報の電子メール（緊急地震速報メール）は、インターネットＩＮからゲートウェイＧＷを介して管理サーバ装置ＳＶａに受信される。
【００４３】
館内放送設備ＢＣは、前記介護施設の建物内に所定の内容を放送するための設備である。館内放送設備ＢＣは、管理サーバ装置ＳＶａの指示に従い、緊急地震速報を受信した旨等の、災いの発生に関する災い情報を前記介護施設の建物内に放送する。
【００４４】
センサ装置ＳＵａは、ネットワークＮＷを介して他の装置ＳＶａ、ＳＰ、ＴＡと通信する通信機能等を備え、被監視者Ｏｂに関わる所定のイベント（事象）を、管理サーバ装置ＳＶａへ通知する装置である。前記所定のイベント（事象）は、好適には対処が必要な所定のイベントであり、例えば、本実施形態では、被監視者Ｏｂにおける予め設定された所定の行動およびナースコールである。このため、本実施形態では、センサ装置ＳＵａは、被監視者Ｏｂにおける所定の行動を検知して検知結果を前記所定のイベントの一例として管理サーバ装置ＳＶａへ通知（送信）し、ナースコールを受け付けて前記ナースコールを前記所定のイベントの他の一例として管理サーバ装置ＳＶａへ通知（送信）し、端末装置ＳＰ、ＴＡとの間で音声通話を行い、そして、動画を含む画像を生成して端末装置ＳＰ、ＴＡへ動画を配信する装置である。このようなセンサ装置ＳＵａは、例えば、図２に示すように、撮像部１１と、音入出力部１２と、ナースコール受付操作部１３と、センサ側制御処理部（ＳＵ制御処理部）１４ａと、センサ側通信インターフェース部（ＳＵ通信ＩＦ部）１５と、センサ側記憶部（ＳＵ記憶部）１６とを備える。
【００４５】
撮像部１１は、ＳＵ制御処理部１４ａに接続され、ＳＵ制御処理部１４ａの制御に従って、画像（画像データ）を生成する装置である。前記画像には、静止画（静止画データ）および動画（動画データ）が含まれる。撮像部１１は、監視すべき監視対象である被監視者Ｏｂが所在を予定している空間（所在空間、図１に示す例では配設場所の居室（部屋）ＲＭ）を監視可能に配置され、前記所在空間を撮像対象としてその上方から撮像し、前記撮像対象を俯瞰した画像（画像データ）を生成し、前記撮像対象の画像（対象画像）をＳＵ制御処理部１４ａへ出力する。好ましくは、監視対象の被監視者Ｏｂ全体を撮像できる蓋然性が高いことから、撮像部１１は、例えば、被監視者Ｏｂが横臥する寝具（例えばベッド等）における、被監視者Ｏｂの頭部が位置すると予定されている予め設定された頭部予定位置（通常、枕の配設位置）の直上から撮像対象を撮像できるように配設される。あるいは、例えば、前記所在空間全体を撮像できる蓋然性が高いことから、撮像部１１は、天井面の略中央位置に配設される。センサ装置ＳＵａは、この撮像部１１によって、被監視者Ｏｂを、被監視者Ｏｂの上方から撮像した画像、好ましくは前記頭部予定位置の直上や前記天井面の略中央位置から撮像した画像を取得する。
【００４６】
このような撮像部１１は、可視光の画像を生成する装置であって良いが、比較的暗がりでも被監視者Ｏｂを監視できるように、本実施形態では、赤外線の画像を生成する装置である。このような撮像部１１は、例えば、本実施形態では、撮像対象における赤外の光学像を所定の結像面上に結像する結像光学系、前記結像面に受光面を一致させて配置され、前記撮像対象における赤外の光学像を電気的な信号に変換するエリアイメージセンサ、および、エリアイメージセンサの出力を画像処理することで前記撮像対象における赤外の画像を表すデータである画像データを生成する画像処理部等を備えるデジタル赤外線カメラである。撮像部１１の前記結像光学系は、本実施形態では、その配設された居室ＲＭ全体を撮像できる画角を持つ広角な光学系（いわゆる広角レンズ（魚眼レンズを含む））であることが好ましい。
【００４７】
音入出力部１２は、音を入出力する回路である。すなわち、音入出力部１２は、ＳＵ制御処理部１４ａに接続され、ＳＵ制御処理部１４ａの制御に従って音を表す電気信号に応じた音を生成して出力するための回路であって、外部の音を取得してセンサ装置ＳＵに入力するための回路である。音入出力部１２は、例えば、音の電気信号（音データ）を音の機械振動信号（音響信号）に変換するスピーカ等と、可聴領域の音の機械振動信号を電気信号に変換するマイクロフォン等とを備えて構成される。音入出力部１２は、外部の音を表す電気信号をＳＵ制御処理部１４ａへ出力し、また、ＳＵ制御処理部１４ａから入力された電気信号を音の機械振動信号に変換して出力する。
【００４８】
ナースコール受付操作部１３は、ＳＵ制御処理部１４ａに接続され、ナースコールを当該センサ装置ＳＵａに入力するための例えば押しボタン式スイッチ等のスイッチ回路である。なお、ナースコール受付操作部１３は、有線でＳＵ制御処理部１４ａに接続されて良く、また、例えばＢｌｕｅｔｏｏｔｈ（登録商標）規格等の近距離無線通信でＳＵ制御処理部１４ａに接続されて良い。
【００４９】
ＳＵ通信ＩＦ部１５は、ＳＵ制御処理部１４ａに接続され、ＳＵ制御処理部１４ａの制御に従って通信を行うための通信回路である。ＳＵ通信ＩＦ部１５は、ＳＵ制御処理部１４ａから入力された転送すべきデータを収容した通信信号を、この被監視者監視支援システムＭＳａのネットワークＮＷで用いられる通信プロトコルに従って生成し、この生成した通信信号をネットワークＮＷを介して他の装置ＳＶａ、ＳＰ、ＴＡへ送信する。ＳＵ通信ＩＦ部１５は、ネットワークＮＷを介して他の装置ＳＶａ、ＳＰ、ＴＡから通信信号を受信し、この受信した通信信号からデータを取り出し、この取り出したデータをＳＵ制御処理部１４ａが処理可能な形式のデータに変換してＳＵ制御処理部１４ａへ出力する。ＳＵ通信ＩＦ部１５は、例えば、ＩＥＥＥ８０２．１１規格等に従った通信インターフェース回路を備えて構成される。
【００５０】
ＳＵ記憶部１６は、ＳＵ制御処理部１４ａに接続され、ＳＵ制御処理部１４ａの制御に従って、各種の所定のプログラムおよび各種の所定のデータを記憶する回路である。前記各種の所定のプログラムには、例えば、センサ装置ＳＵａの各部１１〜１３、１５、１６を当該各部の機能に応じてそれぞれ制御するＳＵ制御プログラムや、被監視者Ｏｂに対する監視に関する所定の情報処理を実行するＳＵ監視処理プログラム等の制御処理プログラムが含まれる。前記ＳＵ監視処理プログラムには、被監視者Ｏｂにおける所定の行動を検知して検知結果を前記所定のイベント（事象）の一例として管理サーバ装置ＳＶａを介して所定の端末装置ＳＰ、ＴＡへ通知する行動検知処理プログラムや、ナースコール受付操作部１３でナースコールを受け付けた場合にその旨を前記所定のイベントの他の一例として管理サーバ装置ＳＶａへ通知し、ＳＵ音入出力部１２等を用いることで端末装置ＳＰ、ＴＡとの間で音声通話を行うナースコール処理プログラムや、撮像部１１で生成した動画を、その動画を要求した端末装置ＳＰ、ＴＡへストリーミングで配信するストリーミング処理プログラム等が含まれる。前記各種の所定のデータには、自機の、センサ装置ＳＵａを特定し識別するための識別子であるセンサ装置識別子（センサＩＤ）、および、管理サーバ装置ＳＶａの通信アドレス等の、各プログラムを実行する上で必要なデータ等が含まれる。ＳＵ記憶部１６は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、ＳＵ記憶部１６は、前記所定のプログラムの実行中に生じるデータ等を記憶するいわゆるＳＵ制御処理部１４ａのワーキングメモリとなるＲＡＭ（Ｒａｎｄｏｍ  Ａｃｃｅｓｓ  Ｍｅｍｏｒｙ）等を含む。
【００５１】
ＳＵ制御処理部１４ａは、センサ装置ＳＵａの各部１１〜１３、１５、１６を当該各部の機能に応じてそれぞれ制御し、被監視者Ｏｂに関わる所定のイベント（事象）を、管理サーバ装置ＳＶａへ通知するための回路である。より具体的には、本実施形態では、ＳＵ制御処理部１４ａは、被監視者Ｏｂにおける所定の行動を検知してその検知結果を前記所定のイベントの一例として管理サーバ装置ＳＶａへ通知（報知、送信）し、ナースコールを受け付けてそのナースコールを前記所定のイベントの他の一例として管理サーバ装置ＳＶａへ通知（報知、送信）し、端末装置ＳＰ、ＴＡとの間で音声通話を行い、動画を含む画像を生成して端末装置ＳＰ、ＴＡへ動画を配信する。ＳＵ制御処理部１４ａは、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１４ａは、前記制御処理プログラムが実行されることによって、センサ側制御部（ＳＵ制御部）１４１、行動検知処理部１４２、ナースコール処理部１４３およびストリーミング処理部１４４を機能的に備える。
【００５２】
ＳＵ制御部１４１は、センサ装置ＳＵａの各部１１〜１３、１５、１６を当該各部の機能に応じてそれぞれ制御し、センサ装置ＳＵａの全体制御を司るものである。
【００５３】
行動検知処理部１４２は、被監視者Ｏｂにおける、予め設定された所定の行動を検知して検知結果を前記所定のイベントの一例として管理サーバ装置ＳＶａへ通知するものである。より具体的には、本実施形態では、前記所定の行動は、例えば、被監視者Ｏｂが起きた起床、被監視者Ｏｂが寝具から離れた離床、被監視者Ｏｂが寝具から落ちた転落、および、被監視者Ｏｂが倒れた転倒の４つの行動である。そして、行動検知処理部１４２は、例えば、撮像部１１で撮像した対象画像に基づいて被監視者Ｏｂの頭部を検出し、この検出した被監視者Ｏｂの頭部における大きさの時間変化に基づいて被監視者Ｏｂの起床、離床、転倒および転落を検知する。より詳しくは、まず、寝具ＢＤの所在領域、寝具ＢＤの所在領域内における横臥姿勢の頭部の大きさと座位姿勢の頭部の大きさとを識別するための第１閾値Ｔｈ１、寝具ＢＤの所在領域を除く居室ＲＭ内における立位姿勢の頭部の大きさであるか否かを識別するための第２閾値Ｔｈ２、および、寝具ＢＤの所在領域を除く居室ＲＭ内における横臥姿勢の頭部の大きさであるか否かを識別するための第３閾値Ｔｈ３が前記各種の所定のデータの１つとして予めＳＵ記憶部１６に記憶される。そして、行動検知処理部１４２は、対象画像から例えば背景差分法やフレーム差分法によって被監視者Ｏｂの人物の領域として動体領域を抽出する。次に、行動検知処理部１４２は、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出する。次に、行動検知処理部１４２は、この抽出した頭部の位置および大きさから起床、離床、転倒および転落を検知する。例えば、行動検知処理部１４２は、この抽出した頭部の位置が寝具ＢＤの所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、行動検知処理部１４２は、この抽出した頭部の位置が寝具ＢＤの所在領域内から寝具の所在領域外へ時間変化した場合であって、前記抽出した頭部の大きさが前記第２閾値Ｔｈ２を用いることによって或る大きさから立位姿勢の大きさへ時間変化した場合には、離床と判定し、前記離床を検知する。例えば、行動検知処理部１４２は、この抽出した頭部の位置が寝具ＢＤの所在領域内から寝具ＢＤの所在領域外へ時間変化した場合であって、前記抽出した頭部の大きさが前記第３閾値Ｔｈ３を用いることによって或る大きさから横臥姿勢の大きさへ時間変化した場合には、転落と判定し、前記転落を検知する。例えば、行動検知処理部１４２は、この抽出した頭部の位置が寝具ＢＤの所在領域を除く居室ＲＭ内であって、前記抽出した頭部の大きさが前記第３閾値Ｔｈ３を用いることによって或る大きさから横臥姿勢の大きさへ時間変化した場合には、転倒と判定し、前記転倒を検知する。
【００５４】
このように前記所定の行動を検知すると、行動検知処理部１４２は、被監視者Ｏｂに関わる所定のイベント（事象）の内容を表すイベント情報（事象情報）を収容した、前記イベントを通知するための通信信号（第１イベント通知通信信号）をＳＵ通信ＩＦ部１５で管理サーバ装置ＳＶａへ通知する。より詳しくは、行動検知処理部１４２は、自機のセンサＩＤ、前記イベントの内容を表すイベント情報、前記所定の行動の検知に用いられた対象画像を収容した第１イベント通知通信信号を、ＳＵ通信ＩＦ部１５を介して管理サーバ装置ＳＶａへ送信する。前記イベント情報は、本実施形態では、起床、離床、転落、転倒およびナースコール（ＮＣ）のうちの１または複数であり、ここでは、行動検知処理部１４２は、検知した起床、離床、転落および転倒のうちの１または複数を前記イベント情報として第１イベント通知通信信号に収容する。前記画像は、静止画および動画のうちの少なくとも一方であって良く、本実施形態では、まず、静止画が報知され、ユーザの要求に応じて動画が配信される。なお、まず、動画が配信されても良く、また、静止画および動画が送信され、画面分割で静止画および動画が端末装置ＳＰ、ＴＡに表示されても良い。
【００５５】
ナースコール処理部１４３は、ナースコール受付操作部１３でナースコールを受け付けた場合にその旨を前記所定のイベントの他の一例として収容した第１イベント通知通信信号を管理サーバ装置ＳＶへ通知し、音入出力部１２等を用いることで端末装置ＳＰ、ＴＡとの間で音声通話を行うものである。より具体的には、ナースコール処理部１４３は、ナースコール受付操作部１３が入力操作されると、自機のセンサＩＤおよび前記イベント情報としてナースコールを収容した第１イベント通知通信信号をＳＵ通信ＩＦ部１５を介して管理サーバ装置ＳＶａへ送信する。そして、ナースコール処理部１４３は、音入出力部１２等を用い、端末装置ＳＰ、ＴＡとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００５６】
ストリーミング処理部１４４は、ＳＵ通信ＩＦ部１５を介して固定端末装置ＳＰまたは携帯端末装置ＴＡから動画の配信の要求があった場合に、この要求のあった固定端末装置ＳＰまたは携帯端末装置ＴＡへ、撮像部１１で生成した動画（例えばライブの動画）をストリーミング再生でＳＵ通信ＩＦ部１５を介して配信するものである。
【００５７】
図１には、一例として、第１ないし第４センサ装置ＳＵａ−１〜ＳＵａ−４が示されており、第１センサ装置ＳＵａ−１は、被監視者Ｏｂの一人であるＡさんＯｂ−１の居室ＲＭ−１（不図示）に配設され、第２センサ装置ＳＵａ−２は、被監視者Ｏｂの一人であるＢさんＯｂ−２の居室ＲＭ−２（不図示）に配設され、第３センサ装置ＳＵａ−３は、被監視者Ｏｂの一人であるＣさんＯｂ−３の居室ＲＭ−３（不図示）に配設され、そして、第４センサ装置ＳＵａ−４は、被監視者Ｏｂの一人であるＤさんＯｂ−４の居室ＲＭ−４（不図示）に配設されている。
【００５８】
管理サーバ装置ＳＶａは、ネットワークＮＷを介して他の装置ＳＵａ、ＴＡ、ＳＰと通信する通信機能を備え、センサ装置ＳＵａから前記所定のイベントの通知を受けると、被監視者Ｏｂに対する監視に関する情報（監視情報（本実施形態では例えば前記所定のイベント（センサ装置ＳＵａで検知した所定の行動の種類やセンサ装置ＳＵａで受け付けたナースコール）、被監視者Ｏｂの画像（静止画および動画）、および、前記通知を受けた時刻等））を管理し、前記所定のイベントを所定の端末装置ＳＰ、ＴＡへ通知（再通知、再報知、送信）し、クライアント（本実施形態では端末装置ＳＰ、ＴＡ等）の要求に応じたデータを前記クライアントに提供し、被監視者監視支援システムＭＳａ全体を管理する装置である。そして、本実施形態では、前記所定のイベントの端末装置ＳＰ、ＴＡへの通知は、前記災い情報の一例としての前記緊急地震速報メールを受信していない場合に実行され、前記緊急地震速報メールを受信している場合には停止される。このような管理サーバ装置ＳＶａは、例えば、図３に示すように、サーバ側通信インターフェース部（ＳＶ通信ＩＦ部）２１と、サーバ側制御処理部（ＳＶ制御処理部）２２ａと、サーバ側記憶部（ＳＶ記憶部）２３とを備える。
【００５９】
ＳＶ通信ＩＦ部２１は、ＳＵ通信ＩＦ部１５と同様に、ＳＶ制御処理部２２ａに接続され、ＳＶ制御処理部２２ａの制御に従って通信を行うための通信回路である。ＳＶ通信ＩＦ部２１は、例えば、ＩＥＥＥ８０２．１１規格等に従った通信インターフェース回路を備えて構成される。
【００６０】
ＳＶ記憶部２３は、ＳＶ制御処理部２２ａに接続され、ＳＶ制御処理部２２ａの制御に従って、各種の所定のプログラムおよび各種の所定のデータを記憶する回路である。前記各種の所定のプログラムには、例えば、管理サーバ装置ＳＶａの各部２１、２３を当該各部の機能に応じてそれぞれ制御するＳＶ制御プログラムや、被監視者Ｏｂに対する監視に関する所定の情報処理を実行する監視処理プログラムや、災いの発生に関する災い情報の通知を受けたか否かを判定する災い情報通知判定プログラムや、前記災い情報通知判定部で前記災い情報の通知有りを判定した場合に、前記端末装置が受ける前記イベントの通知を停止するイベント通知停止プログラムや、前記災い情報を館内放送設備ＢＣに放送させる館内放送処理プログラムや、年月日時分秒で計時を行う時計プログラム等の制御処理プログラムが含まれる。前記各種の所定のデータには、自機の、管理サーバ装置ＳＶａを特定し管理サーバ装置ＳＶａを識別するためのサーバ識別子（サーバＩＤ）や、被監視者Ｏｂの前記監視情報や、前記所定の事象の通知先等の装置ＳＵａ、ＳＰ、ＴＡ間の情報を表す装置間情報や、センサ装置ＳＵａに関するセンサ情報や、端末装置ＳＰ、ＴＡに関する端末情報等の各プログラムを実行する上で必要なデータ等が含まれる。ＳＶ記憶部２３は、例えばＲＯＭやＥＥＰＲＯＭやＲＡＭ等を備える。これら監視情報、装置間情報、センサ情報および端末情報それぞれを記憶するために、ＳＶ記憶部２３は、監視情報記憶部２３１、装置間情報記憶部２３２、センサ情報記憶部２３３および端末情報記憶部２３４を機能的に備える。
【００６１】
ＳＶ監視情報記憶部２３１は、各装置ＳＵａ、ＳＰ、ＴＡそれぞれとの間で送受信した被監視者Ｏｂの監視情報を記憶するものである。より具体的には、ＳＶ監視情報記憶部２３１には、本実施形態では、前記監視情報として、第１イベント通知通信信号等の通信信号に収容された各情報に基づいて、センサＩＤ、イベント情報（事象情報、本実施形態では起床、離床、転落、転倒およびナースコール）、受信時刻、対象画像、ライブ動画の取得先としてセンサ装置ＳＵａの通信アドレスおよび対処の有無（対応の受付の有無）が互いに対応付けて記憶される。前記対処の有無は、端末装置ＳＰ、ＴＡで受信した通信信号に収容されたイベント情報に対する対処（対応、処置、措置）する意思が前記端末装置ＳＰ、ＴＡを扱う監視者にある旨を、前記端末装置ＳＰ、ＴＡで受け付けたか否かを表す情報である。なお、第１イベント通知通信信号に、前記所定の行動を検知した検知時刻または前記ナースコールを受け付けたナースコール受付時刻が収容されている場合には、受信時刻に代え、前記検知時刻または前記ナースコール受付時刻が登録されても良い。
【００６２】
装置間情報記憶部２３２は、前記装置間情報として、本実施形態では、センサ装置ＳＵａから送信された第１イベント通知通信信号等の通知先（再通知先、再報知先、送信先）を示す、送信元であるセンサＩＤと通知先（再通知先）である端末ＩＤとの対応関係（通知先対応関係）、および、各装置ＳＵａ、ＳＰ、ＴＡのＩＤ（センサＩＤ、端末ＩＤ）とその通信アドレスとの対応関係（通信アドレス対応関係）等を記憶するものである。端末ＩＤは、端末装置ＳＰ、ＴＡを特定し端末装置ＳＰ、ＴＡを識別するための端末識別子である。
【００６３】
なお、センサＩＤ、サーバＩＤおよび端末ＩＤそれぞれは、例えば所定の記号列から成るシリアル番号等であって良く、また例えば通信アドレスであって良い（この場合通信アドレス対応関係は省略できる）。
【００６４】
センサ情報記憶部２３３は、前記センサ情報を記憶するものである。本実施形態では、前記センサ情報は、センサ装置ＳＵａに関する情報であり、センサ装置ＳＵａのセンサＩＤと被監視者Ｏｂの被監視者名とを互いに対応付けた情報である。
【００６５】
端末情報記憶部２３４は、前記端末情報として、本実施形態では、端末装置ＳＰ、ＴＡにログインしている監視者（ユーザ）（端末装置ＳＰ、ＴＡを扱っている監視者）を示すログイン監視者情報、および、監視者の勤務状況（勤務シフト、勤務時間）を示す監視者勤務情報等を記憶するものである。
【００６６】
ＳＶ制御処理部２２ａは、管理サーバ装置ＳＶａの各部２１、２３を当該各部の機能に応じてそれぞれ制御し、センサ装置ＳＵａから前記所定のイベントの通知を受けると、被監視者Ｏｂに対する監視に関する監視情報を管理し、前記所定のイベントを所定の端末装置ＳＰ、ＴＡへ通知（再通知、再報知、送信）し、クライアントの要求に応じたデータを前記クライアントに提供し、被監視者監視支援システムＭＳａ全体を管理するための回路である。そして、本実施形態では、ＳＶ制御処理部２２ａは、前記所定のイベントの端末装置ＳＰ、ＴＡへの通知を、前記緊急地震速報メールを受信していない場合に実行する一方、前記緊急地震速報メールを受信している場合に停止する。ＳＶ制御処理部２２ａは、例えば、ＣＰＵおよびその周辺回路を備えて構成される。ＳＶ制御処理部２２ａは、前記制御処理プログラムが実行されることによって、サーバ側制御部（ＳＶ制御部）２２１、監視処理部２２２ａ、災い情報通知判定部２２３ａ、イベント通知停止部２２４ａ、館内放送処理部２２５および時計部２２６を機能的に備える。
【００６７】
ＳＶ制御部２２１は、管理サーバ装置ＳＶａの各部２１、２３を当該各部の機能に応じてそれぞれ制御し、管理サーバ装置ＳＶａの全体制御を司るものである。
【００６８】
監視処理部２２２ａは、センサ装置ＳＵａから前記所定のイベントの通知を受信すると被監視者Ｏｂに対する監視に関する監視情報を管理し、イベント通知停止部２２４ａの指示に従って前記所定のイベントを所定の端末装置ＳＰ、ＴＡへ通知するものである。
【００６９】
より具体的には、監視処理部２２２ａは、センサ装置ＳＵａから前記第１イベント通知通信信号を受信すると、この受信した第１イベント通知通信信号に収容された、被監視者Ｏｂに対する監視に関する監視情報をＳＶ監視情報記憶部２３１に記憶（記録）する。監視処理部２２２ａは、イベント通知停止部２２４ａから停止指示がない場合に、前記受信した第１イベント通知通信信号を送信したセンサ装置ＳＵａに対応する通知先（再通知先、転送先、送信先）を、装置間情報記憶部２３２に記憶された前記通知先対応関係から選定（検索）し、これら選定結果に基づいて第２イベント通知通信信号を生成し、この生成した第２イベント通知通信信号をＳＶ通信ＩＦ部２１で送信する。この通知先の端末装置ＳＰ、ＴＡの選定（検索処理）は、前記受信した第１イベント通知通信信号を送信したセンサ装置ＳＵａに対応するセンサＩＤに基づいて実施される。前記第１イベント通知通信信号に収容されたイベント情報が前記所定の行動（起床、離床、転落および転倒のうちの１または複数）である場合には、前記第２イベント通知通信信号には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵａに対応する通信アドレスが収容される。前記第１イベント通知通信信号に収容されたイベント情報が前記ナースコールである場合には、前記第２イベント通知通信信号には、第１イベント通知通信信号に収容されたセンサＩＤおよびイベント情報が収容される。監視処理部２２２ａは、イベント通知停止部２２４ａから停止指示がある場合には、上述の第２イベント通知通信信号を生成せず、したがって、上述の第２イベント通知通信信号を送信しない。
【００７０】
災い情報通知判定部２２３ａは、災いの発生に関する災い情報の通知を受けたか否かを判定するものである。前記災い情報の通知を受けた場合には、災い情報通知判定部２２３ａは、その旨（災い情報の通知有り）をイベント通知停止部２２４ａおよび館内放送処理部２２５それぞれへ通知する。本実施形態では、災い情報通知判定部２２３ａは、インターネットＩＮから緊急地震速報メールを受信したか否かを判定し、緊急地震速報メールを受信した場合には、緊急地震速報メールの受信をイベント通知停止部２２４ａおよび館内放送処理部２２５それぞれへ通知する。
【００７１】
イベント通知停止部２２４ａは、災い情報通知判定部２２３ａで前記災い情報の通知有りを判定した場合に、端末装置ＳＰ、ＴＡが受けるイベントの通知を停止するものである。より具体的には、イベント通知停止部２２４ａは、災い情報通知判定部２２３ａで前記災い情報の通知有りを判定した場合であって、センサ装置ＳＵａからイベントの通知を受けた場合に、端末装置ＳＰ、ＴＡへのイベントの通知を停止する。より詳しくは、災い情報通知判定部２２３ａから災い情報の通知有りが通知されると、監視処理部２２２ａに対し、第２イベント通知通信信号の生成またはその送信の停止を指示する。本実施形態では、イベント通知停止部２２４ａは、災い情報通知判定部２２３ａから緊急地震速報メールの受信有りが通知されると、監視処理部２２２ａに対し、第２イベント通知通信信号の生成の停止を指示することで第２イベント通知通信信号の送信の停止を指示する。
【００７２】
館内放送処理部２２５は、館内放送設備ＢＣに所定の内容を放送させるものである。より具体的には、館内放送処理部２２５は、前記災い情報通知判定部２２３ａで前記災い情報の通知有りを判定した場合に、その旨を館内放送設備ＢＣに放送させるものである。本実施形態では、館内放送処理部２２５は、災い情報通知判定部２２３ａから緊急地震速報メールの受信有りが通知されると、その旨を表す放送内容および前記放送内容の放送を指示する命令（コマンド）等を収容する通信信号（館内放送指示通信信号）を館内放送設備ＢＣへ送信する。前記緊急地震速報メールの受信有りを表す前記放送内容は、例えば、「緊急地震速報が発報されました。避難行動をお取り下さい。」等のメッセージである。館内放送設備ＢＣは、館内放送指示通信信号を受信すると、この受信した館内放送指示通信信号に収容された前記放送内容を館内放送する。
【００７３】
時計部２２６は、年月日時分秒で計時を行うものである。
【００７４】
なお、管理サーバ装置ＳＶａは、図３に破線で示すように、必要に応じて、さらに、ＳＶ制御処理部２２ａに接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。
【００７５】
このような管理サーバ装置ＳＶａは、例えば、通信機能付きのコンピュータによって構成可能である。
【００７６】
この管理サーバ装置ＳＶａは、中央処理装置の一例に相当する。
【００７７】
固定端末装置ＳＰは、ネットワークＮＷを介して他の装置ＳＵａ、ＳＶａ、ＴＡと通信する通信機能、所定の情報を表示する表示機能、および、所定の指示やデータを入力する入力機能等を備え、管理サーバ装置ＳＶａや携帯端末装置ＴＡに与える所定の指示やデータを入力したり、管理サーバ装置ＳＶａからの通知によってセンサ装置ＳＵａで得られた監視情報を表示したり等することによって、被監視者監視支援システムＭＳａのユーザインターフェース（ＵＩ）として機能する機器である。このような固定端末装置ＳＰは、例えば、通信機能付きのコンピュータによって構成可能である。
【００７８】
携帯端末装置ＴＡは、ネットワークＮＷを介して他の装置ＳＶａ、ＳＰ、ＳＵａと通信する通信機能、所定の情報を表示する表示機能、所定の指示やデータを入力する入力機能、および、音声通話を行う通話機能等を備え、管理サーバ装置ＳＶａやセンサ装置ＳＵａに与える所定の指示やデータを入力したり、管理サーバ装置ＳＶａからの通知によってセンサ装置ＳＵａで得られた前記監視情報を表示したり、センサ装置ＳＵａとの間で音声通話によってナースコールの応答や声かけしたり等するための機器である。このような携帯端末装置ＴＡは、例えば、通信機能付きのタブレット型コンピュータや、いわゆるスマートフォンによって構成可能である。
【００７９】
次に、本実施形態における被監視者監視支援システムＭＳａの動作について説明する。図４は、前記被監視者監視支援システムにおいて、災いの通知の無い場合でのイベントの通知に関する動作を示すシーケンス図である。図５は、前記被監視者監視支援システムにおいて、災いの通知の有る場合でのイベントの通知に関する第１実施形態の動作を示すシーケンス図である。
【００８０】
このような被監視者監視支援システムＭＳａでは、各装置ＳＵａ、ＳＶａ、ＳＰ、ＴＡは、電源が投入されると、必要な各部の初期化を実行し、その稼働を始める。センサ装置ＳＵａでは、その制御処理プログラムの実行によって、ＳＵ制御処理部１４ａには、ＳＵ制御部１４１、行動検知処理部１４２、ナースコール処理部１４３およびＳＵストリーミング処理部１４４が機能的に構成される。管理サーバ装置ＳＶａでは、その制御処理プログラムの実行によって、ＳＶ制御処理部２２ａには、ＳＶ制御部２２１、監視処理部２２２ａ、災い情報通知判定部２２３ａ、イベント通知停止部２２４ａ、館内放送処理部２２５および時計部２２６が機能的に構成される。
【００８１】
まず、災いの通知の無い場合（本実施形態では緊急地震速報メールを受信していない場合）でのイベントの通知に関する動作について説明する。
【００８２】
図４において、センサ装置ＳＵａは、イベントを検知すると（Ｃ１）、この検知したイベントを通知するために、第１イベント通知通信信号を管理サーバ装置ＳＶａへ送信する（Ｃ２）。より具体的には、センサ装置ＳＵａは、その稼働を始めると、各フレームごとに、あるいは、数フレームおきに、次のように動作することで、前記所定のイベントを検知し、前記所定のイベントを検知した場合に第１イベント通知通信信号を管理サーバ装置ＳＶａへ送信する。センサ装置ＳＵａは、撮像部１１から１フレーム分の画像（画像データ）を対象画像として取得し、この取得した対象画像に基づいて被監視者Ｏｂにおける所定の行動を検知し、前記所定の行動を検知すると、その検知結果を所定の端末装置ＳＰ、ＴＡへ通知するために、前記イベント情報として検知した前記所定の行動を収容した、行動検知の第１イベント通知通信信号を、ＳＵ通信ＩＦ部１５で管理サーバ装置ＳＶａへ送信する。このように動作している間に、センサ装置ＳＵａは、ナースコールを受け付けているか否かを判定し、ナースコールを受け付けると、そのナースコールの受付を所定の端末装置ＳＰ、ＴＡへ通知するために、センサ装置ＳＵａは、前記イベント情報として前記受け付けたナースコールを収容した、ナースコール検知の第１イベント通知通信信号を、ＳＵ通信ＩＦ部１５で管理サーバ装置ＳＶａへ送信する。
【００８３】
続いて、センサ装置ＳＵａから第１イベント通知通信信号を受信すると（Ｃ３）、管理サーバ装置ＳＶａは、監視処理部２２２ａによって、この受信した第１イベント通知通信信号による監視情報を記録（記憶）し（Ｃ４）、前記受信した第１イベント通知通信信号に応じた第２イベント通知通信信号を所定の端末装置ＳＰ、ＴＡへ送信する（Ｃ５）。より具体的には、監視処理部２２２ａは、第１イベント通知通信信号をネットワークＮＷを介してセンサ装置ＳＵａから受信すると、この受信した第１イベント通知通信信号に収容されたセンサＩＤおよびイベント情報等の各情報を、このセンサＩＤを持つセンサ装置ＳＵａで監視されている被監視者Ｏｂの監視情報としてＳＶ記憶部２３に記憶（記録）する。そして、監視処理部２２２ａは、前記受信した第１イベント通知通信信号に収容されたセンサＩＤに対応する端末ＩＤを持つ端末装置ＳＰ、ＴＡ宛に第２イベント通知通信信号を生成し、この生成した第２イベント通知通信信号をＳＶ通信ＩＦ部２１で送信する。
【００８４】
続いて、管理サーバ装置ＳＶａから第２イベント通知通信信号を受信すると（Ｃ６）、この第２イベント通知通信信号を受信した端末装置ＳＰ、ＴＡは、この第２イベント通知通信信号に収容されたセンサＩＤおよびイベント情報等の各情報を、このセンサＩＤを持つセンサ装置ＳＵａで監視されている被監視者Ｏｂの監視情報として記憶し、前記監視情報を表示する（Ｃ７）。これによってセンサ装置ＳＵａで検知されたイベントが管理サーバ装置ＳＶａを介して所定の端末装置ＳＰ、ＴＡに表示される。
【００８５】
前記監視情報を参照した看護師や介護士等の監視者ＮＳは、例えば通話するために、通話要求を端末装置ＳＰ、ＴＡに入力する。この入力を受け付けると、端末装置ＳＰ、ＴＡは、表示中の監視情報にかかるセンサＩＤを持つセンサ装置ＳＵに通話を要求するための通信信号（通話要求通信信号）を送信する。この通話の要求に応じて端末装置ＳＰ、ＴＡとセンサ装置ＳＵとは、ＶｏＩＰで通話可能に接続され、監視者ＮＳは、被監視者Ｏｂと通話する。
【００８６】
また例えば、動画をライブで参照するために、監視者ＮＳは、動画要求を端末装置ＳＰ、ＴＡに入力する。この入力を受け付けると、端末装置ＳＰ、ＴＡは、表示中の監視情報にかかるセンサＩＤを持つセンサ装置ＳＵに動画を要求するための通信信号（動画要求通信信号）を送信する。この動画の要求に応じて端末装置ＳＰ、ＴＡとセンサ装置ＳＵとは、ストリーミングで動画を再生可能に接続され、監視者ＮＳは、端末装置ＳＰ、ＴＡに表示された動画を参照する。
【００８７】
次に、災いの通知の有る場合（本実施形態では緊急地震速報メールを受信した場合）でのイベントの通知に関する動作について説明する。
【００８８】
図５において、緊急地震速報メールがインターネットＩＮに配信され（Ｃ１１）、管理サーバ装置ＳＶａがこの緊急地震速報メールを受信し、災い情報通知判定部２２３ａは、緊急地震速報メールの受信を判定すると、緊急地震速報メールの受信をイベント通知停止部２２４ａおよび館内放送処理部２２５それぞれへ通知する（Ｃ１２）。
【００８９】
続いて、災い情報通知判定部２２３ａから緊急地震速報メールの受信有りが通知されると、館内放送処理部２２５は、前記館内放送指示通信信号を館内放送設備ＢＣへ送信し、館内放送指示通信信号を受信すると、館内放送設備ＢＣは、この受信した館内放送指示通信信号に収容された前記放送内容を館内放送する（Ｃ１３）。
【００９０】
一方、上述の処理Ｃ１および処理Ｃ２それぞれと同様に、センサ装置ＳＵａは、イベントを検知すると（Ｃ１４）、この検知したイベントを通知するために、第１イベント通知通信信号を管理サーバ装置ＳＶａへ送信する（Ｃ１５）。
【００９１】
続いて、センサ装置ＳＵａから第１イベント通知通信信号を受信すると（Ｃ１６）、管理サーバ装置ＳＶａは、監視処理部２２２ａによって、この受信した第１イベント通知通信信号による監視情報を記録（記憶）する（Ｃ１７）。
【００９２】
ここで、監視処理部２２２ａは、災い情報通知判定部２２３ａから緊急地震速報メールの受信有りが通知されているので、上述のような第２イベント通知通信信号を生成せず、したがって、上述の第２イベント通知通信信号を送信しない。
【００９３】
本実施形態における被監視者監視支援システムＭＳａは、イベントの通知に関し、上述のように動作する。
【００９４】
以上説明したように、本実施形態における被監視者監視支援システムＭＳａおよびこれに実装された被監視者監視支援方法ならびにこれに用いられた管理サーバ装置ＳＶａは、災い情報の通知有り（本実施形態では緊急地震速報メールの受信有り）を判定した場合に、端末装置ＳＰ、ＴＡが受けるイベントの通知を停止するので、前記災いの発生の通知や前記発生の予告の通知があっても、システムダウンや通知の集中を低減できる。
【００９５】
上記被監視者監視支援システムＭＳａ、被監視者監視支援方法および管理サーバ装置ＳＶａは、センサ装置ＳＵａからイベントの通知を受けた場合に、端末装置ＳＰ、ＴＡへのイベントの通知を停止するので、端末装置ＳＰ、ＴＡへのイベントの通知を処理する必要がないため、システムダウンを低減でき、また、通知の集中をより確実に低減できる。一方、センサ装置ＳＵａからイベントの通知を受けるので、管理サーバ装置ＳＶａは、イベントの検知を記録することが可能となる。
【００９６】
前記災いの発生の通知や前記発生の予告の通知があった場合に、被監視者Ｏｂは、避難行動を取るため、起床や離床のイベントが生じ易い。上記被監視者監視支援システムＭＳａ、被監視者監視支援方法および管理サーバ装置ＳＶａは、前記イベンが前記起床および前記離床を含むので、効果的に、システムダウンや通知の集中を低減できる。
【００９７】
上記被監視者監視支援システムＭＳａ、被監視者監視支援方法および管理サーバ装置ＳＶａは、館内放送処理部２２５を備えるので、当該被監視者監視支援システムＭＳａの配設されたところの被監視者Ｏｂおよび監視者ＮＳ等に、災い情報、本実施形態では緊急地震速報の受信を報知できる。
【００９８】
上述の実施形態によれば、緊急地震速報の際にシステムダウンや通知の集中を低減できる被監視者監視支援システムＭＳａが提供できる。
【００９９】
次に、別の実施形態について説明する。
（第２実施形態）
図６は、前記被監視者監視支援システムにおける第２実施形態のセンサ装置の構成を示すブロック図である。図７は、前記被監視者監視支援システムにおける第２実施形態の管理サーバ装置の構成を示すブロック図である。
【０１００】
第１実施形態における被監視者監視支援システムＭＳａは、管理サーバ装置ＳＶａが災い情報通知判定部２２３ａおよびイベント通知停止部２２４ａを備え、管理サーバ装置ＳＶａがセンサ装置ＳＵａから受け付けたイベントの通知を端末装置ＳＰ、ＴＡへの再通知することを停止したが、第２実施形態における被監視者監視支援システムＭＳｂは、センサ装置ＳＵｂがイベントの通知を停止するものである。
【０１０１】
このような第２実施形態における被監視者監視支援システムＭＳｂは、例えば、図１に示すように、１または複数のセンサ装置ＳＵｂ（ＳＵｂ−１〜ＳＵｂ−４）と、管理サーバ装置ＳＶｂと、固定端末装置ＳＰと、１または複数の携帯端末装置ＴＡ（ＴＡ−１、ＴＡ−２）と、ゲートウェイ（Ｇａｔｅ  ｗａｙ）ＧＷと、館内放送設備ＢＣとを備え、これらは、ネットワークＮＷを介して通信可能に接続される。これら第２実施形態の被監視者監視支援システムＭＳｂにおける固定端末装置ＳＰ、携帯端末装置ＴＡ、ゲートウェイＧＷ、館内放送設備ＢＣおよびネットワークＮＷは、それぞれ、第１実施形態の被監視者監視支援システムＭＳａにおける固定端末装置ＳＰ、携帯端末装置ＴＡ、ゲートウェイＧＷ、館内放送設備ＢＣおよびネットワークＮＷと同様であるので、その説明を省略する。
【０１０２】
センサ装置ＳＵｂは、ネットワークＮＷを介して他の装置ＳＶｂ、ＳＰ、ＴＡと通信する通信機能等を備え、被監視者Ｏｂに関わる所定のイベント（事象）を、管理サーバ装置ＳＶｂの指示に従って管理サーバ装置ＳＶｂへ通知する装置である。本実施形態では、管理サーバ装置ＳＶｂから通知の停止が指示されると、センサ装置ＳＵｂは、イベントを検知してもイベントを通知しない。管理サーバ装置ＳＶｂから通知の停止が指示されてない場合に、センサ装置ＳＵｂは、イベントを検知してイベントを通知する。このようなセンサ装置ＳＵｂは、例えば、図６に示すように、撮像部１１と、音入出力部１２と、ナースコール受付操作部１３と、ＳＵ制御処理部１４ｂと、ＳＵ通信ＩＦ部１５と、ＳＵ記憶部１６とを備える。これら第２実施形態のセンサ装置ＳＵｂにおける撮像部１１、音入出力部１２、ナースコール受付操作部１３、ＳＵ通信ＩＦ部１５およびＳＵ記憶部１６は、それぞれ、ＳＵ記憶部１６が前記各種の所定のプログラムの１つとして管理サーバ装置ＳＶｂから後述の停止指示情報の通知を受けた場合に、イベントを検知した際にこの検知したイベントの管理サーバ装置ＳＶｂへの通知を停止するＳＵイベント通知停止プログラムをさらに記憶する点を除き、第１実施形態のセンサ装置ＳＵａにおける撮像部１１、音入出力部１２、ナースコール受付操作部１３、ＳＵ通信ＩＦ部１５およびＳＵ記憶部１６と同様であるので、その説明を省略する。
【０１０３】
ＳＵ制御処理部１４ｂは、センサ装置ＳＵｂの各部１１〜１３、１５、１６を当該各部の機能に応じてそれぞれ制御し、被監視者Ｏｂに関わる所定のイベント（事象）を、管理サーバ装置ＳＶｂの指示に従って管理サーバ装置ＳＶｂへ通知するための回路である。ＳＵ制御処理部１４ｂは、例えば、ＣＰＵおよびその周辺回路を備えて構成される。ＳＵ制御処理部１４ｂは、前記各種の所定のプログラムが実行されることによって、ＳＵ制御部１４１、行動検知処理部１４２、ナースコール処理部１４３、ストリーミング処理部１４４およびセンサ側イベント通知停止部（ＳＵイベント通知停止部）１４５を機能的に備える。これら第２実施形態のＳＵ制御処理部１４ｂにおけるＳＵ制御部１４１、行動検知処理部１４２、ナースコール処理部１４３およびストリーミング処理部１４４は、それぞれ、行動検知部１４２がＳＵイベント通知停止部１４５の指示に従って第１イベント通知通信信号の生成や送信を実行する点を除き、第１実施形態のＳＵ制御処理部１４ａにおけるＳＵ制御部１４１、行動検知処理部１４２、ナースコール処理部１４３およびストリーミング処理部１４４と同様であるので、その説明を省略する。
【０１０４】
ＳＵイベント通知停止部１４５は、管理サーバ装置ＳＶｂから後述の停止指示情報の通知を受けた場合に、イベントを検知した際にこの検知したイベントの管理サーバ装置ＳＶｂへの通知を停止するものである。より具体的には、ＳＵイベント通知停止部１４５は、管理サーバ装置ＳＶｂから停止指示情報の通知を受けた場合に、行動検知処理部１４２に対し、第１イベント通知通信信号の生成またはその送信の停止を指示する。本実施形態では、ＳＵイベント通知停止部１４５は、管理サーバ装置ＳＶｂから停止指示情報の通知を受けた場合に、行動検知処理部１４２に対し、第１イベント通知通信信号の生成の停止を指示することで第１イベント通知通信信号の送信の停止を指示する。
【０１０５】
このため、第１イベント通知通信信号の生成およびその送信に関し、行動検知処理部１４２は、ＳＵイベント通知停止部１４５から生成の停止を指示されると、第１イベント通知通信信号を生成せず、したがって、第１イベント通知通信信号を管理サーバ装置ＳＶｂへ送信しない。一方、行動検知処理部１４２は、ＳＵイベント通知停止部１４５から生成の停止を指示されていない場合には、第１実施形態と同様に、第１イベント通知通信信号を生成し、この第１イベント通知通信信号を管理サーバ装置ＳＶｂへ送信する。
【０１０６】
管理サーバ装置ＳＶｂは、ネットワークＮＷを介して他の装置ＳＵｂ、ＴＡ、ＳＰと通信する通信機能を備え、センサ装置ＳＵｂから前記所定のイベントの通知を受けると、被監視者Ｏｂに対する監視情報を管理し、前記所定のイベントを所定の端末装置ＳＰ、ＴＡへ通知し、クライアントの要求に応じたデータを前記クライアントに提供し、被監視者監視支援システムＭＳｂ全体を管理する装置である。そして、本実施形態では、災い情報の一例として緊急地震速報メールを受信した場合に、管理サーバ装置ＳＶｂは、センサ装置ＳＵｂに、管理サーバ装置ＳＶｂへのイベントの通知を停止させる。このような管理サーバ装置ＳＶｂは、例えば、図７に示すように、ＳＶ通信ＩＦ部２１と、ＳＶ制御処理部２２ｂと、ＳＶ記憶部２３とを備える。これら第２実施形態の管理サーバ装置ＳＶｂにおけるＳＶ通信ＩＦ部２１およびＳＶ記憶部２３は、それぞれ、ＳＶ記憶部２３が前記各種の所定のプログラムの１つとして災い情報通知判定部２２３ａで災い情報の通知有りを判定した場合に、センサ装置ＳＵｂに、管理サーバ装置ＳＶｂへのイベントの通知の停止を指示する停止指示情報を通知するＳＶイベント通知停止プログラムをさらに記憶する点を除き、第１実施形態の管理サーバ装置ＳＶａにおけるＳＶ通信ＩＦ部２１およびＳＶ記憶部２３と同様であるので、その説明を省略する。
【０１０７】
ＳＶ制御処理部２２ｂは、管理サーバ装置ＳＶｂの各部２１、２３を当該各部の機能に応じてそれぞれ制御し、センサ装置ＳＵｂから前記所定のイベントの通知を受けると、被監視者Ｏｂに対する監視に関する監視情報を管理し、前記所定のイベントを所定の端末装置ＳＰ、ＴＡへ通知し、クライアントの要求に応じたデータを前記クライアントに提供し、被監視者監視支援システムＭＳｂ全体を管理するための回路である。そして、本実施形態では、ＳＶ制御処理部２２ｂは、災い情報通知判定部２２３ａで災い情報の通知有りを判定した場合に、センサ装置ＳＵｂに、管理サーバ装置ＳＶｂへのイベントの通知の停止を指示する停止指示情報を通知する。ＳＶ制御処理部２２ｂは、例えば、ＣＰＵおよびその周辺回路を備えて構成される。ＳＶ制御処理部２２ｂは、前記各種の所定のプログラムが実行されることによって、ＳＶ制御部２２１、監視処理部２２２ｂ、災い情報通知判定部２２３ａ、サーバ側イベント通知停止部（ＳＶイベント通知停止部）２２４ｂ、館内放送処理部２２５および時計部２２６を機能的に備える。これら第２実施形態のＳＶ制御処理部２２ｂにおけるＳＶ制御部２２１、災い情報通知判定部２２３ａ、館内放送処理部２２５および時計部２２６は、それぞれ、第１実施形態のＳＶ制御処理部２２ａにおけるＳＶ制御部２２１、災い情報通知判定部２２３ａ、館内放送処理部２２５および時計部２２６と同様であるので、その説明を省略する。
【０１０８】
監視処理部２２２ｂは、センサ装置ＳＵｂから前記所定のイベントの通知を受信すると被監視者Ｏｂに対する監視に関する監視情報を管理し、前記所定のイベントを所定の端末装置ＳＰ、ＴＡへ通知するものである。より具体的には、監視処理部２２２ｂは、センサ装置ＳＵｂから前記第１イベント通知通信信号を受信すると、この受信した第１イベント通知通信信号に収容された、被監視者Ｏｂに対する監視に関する監視情報をＳＶ監視情報記憶部２３１に記憶（記録）する。監視処理部２２２ｂは、前記受信した第１イベント通知通信信号を送信したセンサ装置ＳＵａに対応する通知先（再通知先、転送先、送信先）を、装置間情報記憶部２３２に記憶された前記通知先対応関係から選定（検索）し、これら選定結果に基づいて第２イベント通知通信信号を生成し、この生成した第２イベント通知通信信号をＳＶ通信ＩＦ部２１で送信する。
【０１０９】
ＳＶイベント通知停止部２２４ｂは、災い情報通知判定部２２３ａで災い情報の通知有りを判定した場合に、センサ装置ＳＵｂに、管理サーバ装置ＳＶｂへのイベントの通知の停止を指示する停止指示情報を通知するものである。より具体的には、本実施形態では、ＳＶイベント通知停止部２２４ｂは、災い情報通知判定部２２３ａから緊急地震速報メールの受信有りが通知されると、被監視者監視支援システムＭＳｂにおける複数のセンサ装置ＳＵｂ−１〜ＳＵｂ−４それぞれ宛に、前記停止指示情報を収容する通信信号（停止指示通知通信信号）を生成し、この生成した停止指示通知通信信号をＳＶ通信ＩＦ部２１で送信する。
【０１１０】
なお、ＳＶイベント通知停止部２２４ｂは、前記中央管理装置に備えられ、前記災い情報通知判定部で前記災い情報の通知有りを判定した場合に、前記センサ装置に、前記中央管理装置へのイベントの通知の停止を指示する停止指示情報を通知する第１イベント通知停止部の一例に相当し、ＳＵイベント通知停止部１４５は、前記センサ装置に備えられ、前記中央管理装置から前記停止指示情報の通知を受けた場合に、前記イベントを検知した際に前記検知したイベントの前記中央管理装置への通知を停止する第２イベント通知停止部の一例に相当する。
【０１１１】
次に、本実施形態における被監視者監視支援システムＭＳｂの動作について説明する。図８は、前記被監視者監視支援システムにおいて、災いの通知の有る場合でのイベントの通知に関する第２実施形態の動作を示すシーケンス図である。
【０１１２】
このような被監視者監視支援システムＭＳｂでは、各装置ＳＵｂ、ＳＶｂ、ＳＰ、ＴＡは、電源が投入されると、必要な各部の初期化を実行し、その稼働を始める。センサ装置ＳＵｂでは、その各種の所定のプログラムの実行によって、ＳＵ制御処理部１４ｂには、ＳＵ制御部１４１、行動検知処理部１４２、ナースコール処理部１４３、ＳＵストリーミング処理部１４４およびＳＵイベント通知停止部１４５が機能的に構成される。管理サーバ装置ＳＶｂでは、その各種の所定のプログラムの実行によって、ＳＶ制御処理部２２ｂには、ＳＶ制御部２２１、監視処理部２２２ｂ、災い情報通知判定部２２３ａ、ＳＵイベント通知停止部２２４ｂ、館内放送処理部２２５および時計部２２６が機能的に構成される。
【０１１３】
災いの通知の無い場合（本実施形態では緊急地震速報メールを受信していない場合）でのイベントの通知に関する動作は、図４を用いて説明した第１実施形態の動作と同様であるので、その説明を省略する。
【０１１４】
次に、災いの通知の有る場合（本実施形態では緊急地震速報メールを受信した場合）でのイベントの通知に関する動作について説明する。
【０１１５】
図８において、上述の処理Ｃ１１および処理Ｃ１２それぞれと同様に、緊急地震速報メールがインターネットＩＮに配信され（Ｃ２１）、管理サーバ装置ＳＶｂがこの緊急地震速報メールを受信し、災い情報通知判定部２２３ａは、緊急地震速報メールの受信を判定すると、緊急地震速報メールの受信をＳＵイベント通知停止部２２４ｂおよび館内放送処理部２２５それぞれへ通知する（Ｃ２２）。
【０１１６】
続いて、上述の処理Ｃ１３と同様に、災い情報通知判定部２２３ａから緊急地震速報メールの受信有りが通知されると、館内放送処理部２２５は、前記館内放送指示通信信号を館内放送設備ＢＣへ送信し、館内放送指示通信信号を受信すると、館内放送設備ＢＣは、この受信した館内放送指示通信信号に収容された前記放送内容を館内放送する（Ｃ２３）。
【０１１７】
続いて、本実施形態では、災い情報通知判定部２２３ａから緊急地震速報メールの受信有りが通知されると、ＳＶイベント通知停止部２２４ｂは、被監視者監視支援システムＭＳｂにおける複数のセンサ装置ＳＵｂ−１〜ＳＵｂ−４それぞれ宛に、前記停止指示情報を収容する停止指示通知通信信号を生成し、この生成した停止指示通知通信信号をＳＶ通信ＩＦ部２１で送信し（Ｃ２４）、管理サーバ装置ＳＶｂから停止指示通知通信信号の受信によって前記停止指示情報の通知を受け付けると、センサ装置ＳＵｂは、ＳＵイベント通知停止部１４５によって、行動検知処理部１４２に対し、第１イベント通知通信信号の生成の停止を指示する（Ｃ２５）。
【０１１８】
一方、上述の処理Ｃ１と同様に、センサ装置ＳＵｂは、イベントを検知すると（Ｃ２６）、行動検知処理部１４２は、ＳＵイベント通知停止部１４５から生成の停止を指示されているので、第１イベント通知通信信号を生成せず、したがって、第１イベント通知通信信号を管理サーバ装置ＳＶｂへ送信しない。この結果、第２イベント通知通信信号も管理サーバ装置ＳＶｂによって生成されず、したがって、第２イベント通知通信信号は、端末装置ＳＰ、ＴＡに受信されない。
【０１１９】
本実施形態における被監視者監視支援システムＭＳｂは、イベントの通知に関し、上述のように動作する。
【０１２０】
以上説明したように、本実施形態における被監視者監視支援システムＭＳｂおよびこれに実装された被監視者監視支援方法ならびにこれに用いられた管理サーバ装置ＳＶｂは、災い情報の通知有り（本実施形態では緊急地震速報メールの受信有り）を判定した場合に、端末装置ＳＰ、ＴＡが受けるイベントの通知を停止するので、前記災いの発生の通知や前記発生の予告の通知があっても、システムダウンや通知の集中を低減できる。
【０１２１】
上記被監視者監視支援システムＭＳｂ、被監視者監視支援方法および管理サーバ装置ＳＶｂは、イベントを検知して前記イベントを通知するセンサ装置ＳＵｂで前記検知したイベントの管理サーバ装置ＳＶｂへの通知を停止するので、システムダウンや通知の集中をより確実に低減でき、システムの通信トラフィックの増加も回避できる。
【０１２２】
上記被監視者監視支援システムＭＳｂ、被監視者監視支援方法および管理サーバ装置ＳＶｂは、前記イベンが前記起床および前記離床を含むので、効果的に、システムダウンや通知の集中を低減できる。
【０１２３】
上記被監視者監視支援システムＭＳｂ、被監視者監視支援方法および管理サーバ装置ＳＶｂは、館内放送処理部２２５を備えるので、当該被監視者監視支援システムＭＳｂの配設されたところの被監視者Ｏｂおよび監視者ＮＳ等に、災い情報、本実施形態では緊急地震速報の受信を報知できる。
【０１２４】
上述の実施形態によれば、緊急地震速報の際にシステムダウンや通知の集中を低減できる被監視者監視支援システムＭＳｂが提供できる。
【０１２５】
次に、別の実施形態について説明する。
（第３実施形態）
図９は、前記被監視者監視支援システムにおける第３実施形態のセンサ装置の構成を示すブロック図である。図１０は、前記被監視者監視支援システムにおける第３実施形態の管理サーバ装置の構成を示すブロック図である。
【０１２６】
第３実施形態における被監視者監視支援システムＭＳｃは、第１実施形態における被監視者監視支援システムＭＳａにおいて、被監視者Ｏｂの居室ＲＭに被監視者Ｏｂが滞在しているか否かを検知し、前記滞在有りの検知結果を所定の端末装置ＳＰ、ＴＡへ通知するものである。
【０１２７】
このような第３実施形態における被監視者監視支援システムＭＳｃは、例えば、図１に示すように、１または複数のセンサ装置ＳＵｃ（ＳＵｃ−１〜ＳＵｃ−４）と、管理サーバ装置ＳＶｃと、固定端末装置ＳＰと、１または複数の携帯端末装置ＴＡ（ＴＡ−１、ＴＡ−２）と、ゲートウェイＧＷと、館内放送設備ＢＣとを備え、これらは、ネットワークＮＷを介して通信可能に接続される。これら第３実施形態の被監視者監視支援システムＭＳｃにおける固定端末装置ＳＰ、携帯端末装置ＴＡ、ゲートウェイＧＷ、館内放送設備ＢＣおよびネットワークＮＷは、それぞれ、第１実施形態の被監視者監視支援システムＭＳａにおける固定端末装置ＳＰ、携帯端末装置ＴＡ、ゲートウェイＧＷ、館内放送設備ＢＣおよびネットワークＮＷと同様であるので、その説明を省略する。
【０１２８】
センサ装置ＳＵｃは、ネットワークＮＷを介して他の装置ＳＶｃ、ＳＰ、ＴＡと通信する通信機能等を備え、被監視者Ｏｂに関わる所定のイベント（事象）を、管理サーバ装置ＳＶｂへ通知する装置である。本実施形態では、センサ装置ＳＵｃは、被監視者Ｏｂの部屋ＲＭに前記被監視者Ｏｂが滞在しているか否かを検知する。そして、センサ装置ＳＵｃは、前記災い情報の通知を受けたことを表す災い情報通知情報の通知を管理サーバ装置ＳＶｃから受けた場合であって、前記災い情報通知情報の通知を受けた時刻から所定の時間の経過後に、滞在有りを検知した場合に、前記滞在有りの検知結果を前記管理サーバ装置ＳＶｃへ通知する。このようなセンサ装置ＳＵｃは、例えば、図９に示すように、撮像部１１と、音入出力部１２と、ナースコール受付操作部１３と、ＳＵ制御処理部１４ｃと、ＳＵ通信ＩＦ部１５と、ＳＵ記憶部１６とを備える。これら第３実施形態のセンサ装置ＳＵｃにおける撮像部１１、音入出力部１２、ナースコール受付操作部１３、ＳＵ通信ＩＦ部１５およびＳＵ記憶部１６は、それぞれ、ＳＵ記憶部１６が前記各種の所定のプログラムの１つとして、被監視者Ｏｂの部屋ＲＭに前記被監視者Ｏｂが滞在しているか否かを検知し、前記災い情報通知情報の通知を管理サーバ装置ＳＶｃから受けた場合であって前記災い情報通知情報の通知を受けた時刻から所定の時間の経過後に滞在有りを検知した場合に、前記滞在有りの検知結果を前記管理サーバ装置ＳＶｃへ通知するＳＵ滞在通知プログラムをさらに記憶する点を除き、第１実施形態のセンサ装置ＳＵａにおける撮像部１１、音入出力部１２、ナースコール受付操作部１３、ＳＵ通信ＩＦ部１５およびＳＵ記憶部１６と同様であるので、その説明を省略する。
【０１２９】
ＳＵ制御処理部１４ｃは、センサ装置ＳＵｃの各部１１〜１３、１５、１６を当該各部の機能に応じてそれぞれ制御し、被監視者Ｏｂに関わる所定のイベント（事象）を、管理サーバ装置ＳＶｂへ通知するための回路である。そして、本実施形態では、ＳＵ制御処理部１４ｃは、被監視者Ｏｂの部屋ＲＭに前記被監視者Ｏｂが滞在しているか否かを検知し、前記災い情報通知情報の通知を管理サーバ装置ＳＶｃから受けた場合であって前記災い情報通知情報の通知を受けた時刻から所定の時間の経過後に滞在有りを検知した場合に、前記滞在有りの検知結果を前記管理サーバ装置ＳＶｃへ通知する。ＳＵ制御処理部１４ｃは、例えば、ＣＰＵおよびその周辺回路を備えて構成される。ＳＵ制御処理部１４ｃは、前記各種の所定のプログラムが実行されることによって、ＳＵ制御部１４１、行動検知処理部１４２、ナースコール処理部１４３、ストリーミング処理部１４４およびセンサ側滞在通知部（ＳＵ滞在通知部）１４６ｃを機能的に備える。これら第３実施形態のＳＵ制御処理部１４ｃにおけるＳＵ制御部１４１、行動検知処理部１４２、ナースコール処理部１４３およびストリーミング処理部１４４は、それぞれ、第１実施形態のＳＵ制御処理部１４ａにおけるＳＵ制御部１４１、行動検知処理部１４２、ナースコール処理部１４３およびストリーミング処理部１４４と同様であるので、その説明を省略する。
【０１３０】
ＳＵ滞在通知部１４６ｃは、被監視者Ｏｂの部屋ＲＭに前記被監視者Ｏｂが滞在しているか否かを検知し、前記災い情報通知情報の通知を管理サーバ装置ＳＶｃから受けた場合であって前記災い情報通知情報の通知を受けた時刻から所定の時間の経過後に滞在有りを検知した場合に、前記滞在有りの検知結果を前記管理サーバ装置ＳＶｃへ通知するものである。より具体的には、ＳＵ滞在通知部１４６ｃは、まず、前記災い情報通知情報の通知を管理サーバ装置ＳＶｃから受けた場合に、前記所定の時間の経過を計るタイマーをセットする。前記所定の時間は、身体の不自由等により元々自力で移動できない被監視者Ｏｂや、避難中に転倒してしまった結果、自力で移動できなくなった被監視者Ｏｂ等を発見するために設定されるので、例えば、自力で移動できる被監視者Ｏｂが避難行動を完了できる時間等を考慮して適宜に設定される。次に、前記タイマーがタイムアップすると（すなわち、前記災い情報通知情報の通知を受けた時刻から所定の時間の経過後に）、ＳＵ滞在通知部１４６ｃは、被監視者Ｏｂの部屋ＲＭに前記被監視者Ｏｂが滞在しているか否かを検知する。例えば、ＳＵ滞在通知部１４６ｃは、撮像部１１から対象画像を取得し、対象画像から例えば背景差分法やフレーム差分法によって被監視者Ｏｂの人物の領域として動体領域を抽出する。この結果、動体領域が抽出された場合には、ＳＵ滞在通知部１４６ｃは、被監視者Ｏｂの滞在有りを検知し、一方、動体領域が抽出されない場合には、ＳＵ滞在通知部１４６ｃは、被監視者Ｏｂの滞在無しを検知する。次に、滞在有りを検知した場合に、ＳＵ滞在通知部１４６ｃは、自機のセンサＩＤ、および、前記滞在有りの検知結果を収容する通信信号（第１滞在通知通信信号）を管理サーバ装置ＳＶｃ宛に生成し、この生成した第１滞在通知通信信号をＳＵ通信ＩＦ部１５で送信する。
【０１３１】
なお、撮像部１１およびＳＵ滞在通知部１４６ｃは、前記被監視者に対応して設けられ、前記被監視者の部屋に前記被監視者が滞在しているか否かを検知し、滞在有りの検知結果を前記被監視者に対応して設けられたセンサ装置へ通知する滞在検知装置の一例に相当し、ＳＵ滞在通知部１４６ｃは、さらに、前記中央管理装置から前記災い情報通知情報の通知を受けた場合であって、前記災い情報通知情報の通知を受けた時刻から所定の時間の経過後に、前記滞在検知装置から、前記滞在有りの検知結果の通知を受けた場合に、前記滞在有りの検知結果を前記中央管理装置へ通知する第１滞在通知部の一例にも相当する。このように本実施形態では、滞在検知装置は、センサ装置ＳＵｃに組み込まれたが、センサ装置ＳＵｃとは別体で構成されても良い。例えば、滞在検知装置は、ドップラセンサや焦電センサ等を用いた人感センサであって良く、また例えば、睡眠、覚醒、起床および離床を検知する眠りＳＣＡＮ（パラマウントベッド株式会社製）であっても良い。前記眠りＳＣＡＮでは、睡眠、覚醒および起床の検知結果は、滞在有りの検知結果とされ、離床の検知結果は、滞在無しの検知結果とされる。このような人感センサや眠りＳＣＡＮは、被監視者Ｏｂに対応して設けられ、検知結果を前記被監視者Ｏｂに対応して設けられたセンサ装置ＳＵｃへ通知する。後述の第４実施形態も同様である。
【０１３２】
管理サーバ装置ＳＶｃは、ネットワークＮＷを介して他の装置ＳＵｃ、ＴＡ、ＳＰと通信する通信機能を備え、センサ装置ＳＵｃから前記所定のイベントの通知を受けると、被監視者Ｏｂに対する監視情報を管理し、前記所定のイベントを所定の端末装置ＳＰ、ＴＡへ通知し、クライアントの要求に応じたデータを前記クライアントに提供し、被監視者監視支援システムＭＳｃ全体を管理する装置である。そして、本実施形態では、前記所定のイベントの端末装置ＳＰ、ＴＡへの通知は、前記災い情報の一例としての前記緊急地震速報メールを受信していない場合に実行され、前記緊急地震速報メールを受信している場合には停止される。さらに、本実施形態では、前記緊急地震速報メールを受信すると、管理サーバ装置ＳＶｃは、前記災い情報の通知を受けたことを表す災い情報通知情報をセンサ装置ＳＵｃへ通知し、センサ装置ＳＵｃから、前記滞在有りの検知結果の通知を受けた場合に、前記滞在有りの検知結果を所定の端末装置ＳＰ、ＴＡへ通知する。このような管理サーバ装置ＳＶｃは、例えば、図１０に示すように、ＳＶ通信ＩＦ部２１と、ＳＶ制御処理部２２ｃと、ＳＶ記憶部２３とを備える。これら第３実施形態の管理サーバ装置ＳＶｃにおけるＳＶ通信ＩＦ部２１およびＳＶ記憶部２３は、それぞれ、ＳＶ記憶部２３が、前記各種の所定のプログラムの１つとして、災い情報通知判定部２２３ａで前記災い情報の通知有りを判定した場合に、前記災い情報の通知を受けたことを表す災い情報通知情報をセンサ装置ＳＵｃへ通知する災い情報通知プログラム、および、センサ装置ＳＵｃから、前記滞在有りの検知結果の通知を受けた場合に、前記滞在有りの検知結果を所定の端末装置ＳＰ、ＴＡへ通知するＳＶ滞在通知プログラムをさらに記憶する点を除き、第１実施形態の管理サーバ装置ＳＶａにおけるＳＶ通信ＩＦ部２１およびＳＶ記憶部２３と同様であるので、その説明を省略する。
【０１３３】
ＳＶ制御処理部２２ｃは、管理サーバ装置ＳＶｃの各部２１、２３を当該各部の機能に応じてそれぞれ制御し、センサ装置ＳＵｃから前記所定のイベントの通知を受けると、被監視者Ｏｂに対する監視に関する監視情報を管理し、前記所定のイベントを所定の端末装置ＳＰ、ＴＡへ通知（再通知、再報知、送信）し、クライアントの要求に応じたデータを前記クライアントに提供し、被監視者監視支援システムＭＳｃ全体を管理するための回路である。そして、本実施形態では、ＳＶ制御処理部２２ｃは、前記所定のイベントの端末装置ＳＰ、ＴＡへの通知を、前記緊急地震速報メールを受信していない場合に実行する一方、前記緊急地震速報メールを受信している場合に停止する。さらに、本実施形態では、ＳＶ制御処理部２２ｃは、前記緊急地震速報メールを受信すると、管理サーバ装置ＳＶｃは、前記災い情報の通知を受けたことを表す災い情報通知情報をセンサ装置ＳＵｃへ通知し、センサ装置ＳＵｃから、前記滞在有りの検知結果の通知を受けた場合に、前記滞在有りの検知結果を所定の端末装置ＳＰ、ＴＡへ通知する。ＳＶ制御処理部２２ｃは、例えば、ＣＰＵおよびその周辺回路を備えて構成される。ＳＶ制御処理部２２ｃは、前記各種の所定のプログラムが実行されることによって、ＳＶ制御部２２１、監視処理部２２２ａ、災い情報通知判定部２２３ａ、イベント通知停止部２２４ａ、館内放送処理部２２５、時計部２２６、災い情報通知部２２７およびサーバ側滞在通知部（ＳＶ滞在通知部）２２８を機能的に備える。これら第３実施形態のＳＶ制御処理部２２ｃにおけるＳＶ制御部２２１、監視処理部２２２ａ、災い情報通知判定部２２３ａ、イベント通知停止部２２４ａ、館内放送処理部２２５および時計部２２６は、それぞれ、第１実施形態のＳＶ制御処理部２２ａにおけるＳＶ制御部２２１、監視処理部２２２ａ、災い情報通知判定部２２３ａ、イベント通知停止部２２４ａ、館内放送処理部２２５および時計部２２６と同様であるので、その説明を省略する。
【０１３４】
災い情報通知部２２７は、災い情報通知判定部２２３ａで前記災い情報の通知有りを判定した場合に、前記災い情報の通知を受けたことを表す災い情報通知情報をセンサ装置ＳＵｃへ通知するものである。より具体的には、本実施形態では、災い情報通知部２２７は、災い情報通知判定部２２３ａから緊急地震速報メールの受信有りが通知されると、被監視者監視支援システムＭＳｃにおける複数のセンサ装置ＳＵｃ−１〜ＳＵｃ−４それぞれ宛に、前記災い情報通知情報を収容する通信信号（災い情報通知通信信号）を生成し、この生成した災い情報通知通信信号をＳＶ通信ＩＦ部２１で送信する。
【０１３５】
ＳＶ滞在通知部２２８は、センサ装置ＳＵｃから、滞在有りの検知結果の通知を受けた場合に、前記滞在有りの検知結果を所定の端末装置ＳＰ、ＴＡへ通知するものである。より具体的には、本実施形態では、ＳＶ滞在通知部２２８は、センサ装置ＳＵｃから、第１滞在通知通信信号を受信すると、この受信した第１滞在通知通信信号の送信元のセンサ装置ＳＵｃに対応する送信先の端末装置ＳＰ、ＴＡ宛に、第１滞在通知通信信号に収容されたセンサＩＤ、および、前記滞在有りの検知結果を収容する通信信号（第２滞在通知通信信号）を生成し、この生成した第２滞在通知通信信号をＳＶ通信ＩＦ部２１で送信する。
【０１３６】
なお、ＳＶ滞在通知部２２８は、前記センサ装置から、前記滞在有りの検知結果の通知を受けた場合に、前記滞在有りの検知結果を前記端末装置へ通知する第２滞在通知部の一例に相当する。
【０１３７】
次に、本実施形態における被監視者監視支援システムＭＳｃの動作について説明する。図１１は、前記被監視者監視支援システムにおいて、災いの通知の有る場合でのイベントの通知に関する第３実施形態の動作を示すシーケンス図である。
【０１３８】
このような被監視者監視支援システムＭＳｃでは、各装置ＳＵｃ、ＳＶｃ、ＳＰ、ＴＡは、電源が投入されると、必要な各部の初期化を実行し、その稼働を始める。センサ装置ＳＵｃでは、その各種の所定のプログラムの実行によって、ＳＵ制御処理部１４ｃには、ＳＵ制御部１４１、行動検知処理部１４２、ナースコール処理部１４３、ＳＵストリーミング処理部１４４およびＳＵ滞在通知部１４６ｃが機能的に構成される。管理サーバ装置ＳＶｃでは、その各種の所定のプログラムの実行によって、ＳＶ制御処理部２２ｃには、ＳＶ制御部２２１、監視処理部２２２ａ、災い情報通知判定部２２３ａ、イベント通知停止部２２４ａ、館内放送処理部２２５、時計部２２６、災い情報通知部２２７およびＳＶ滞在通知部２２８が機能的に構成される。
【０１３９】
災いの通知の無い場合（本実施形態では緊急地震速報メールを受信していない場合）でのイベントの通知に関する動作は、図４を用いて説明した第１実施形態の動作と同様であるので、その説明を省略する。
【０１４０】
次に、災いの通知の有る場合（本実施形態では緊急地震速報メールを受信した場合）でのイベントの通知に関する動作について説明する。
【０１４１】
図１１において、上述の処理Ｃ１１および処理Ｃ１２それぞれと同様に、緊急地震速報メールがインターネットＩＮに配信され（Ｃ３１）、管理サーバ装置ＳＶｃがこの緊急地震速報メールを受信し、災い情報通知判定部２２３ａは、緊急地震速報メールの受信を判定すると、緊急地震速報メールの受信をイベント通知停止部２２４ａおよび館内放送処理部２２５それぞれへ通知する（Ｃ３２）。
【０１４２】
続いて、上述の処理Ｃ１３と同様に、災い情報通知判定部２２３ａから緊急地震速報メールの受信有りが通知されると、館内放送処理部２２５は、前記館内放送指示通信信号を館内放送設備ＢＣへ送信し、館内放送指示通信信号を受信すると、館内放送設備ＢＣは、この受信した館内放送指示通信信号に収容された前記放送内容を館内放送する（Ｃ３３）。
【０１４３】
続いて、本実施形態では、災い情報通知判定部２２３ａから緊急地震速報メールの受信有りが通知されると、災い情報通知部２２７は、被監視者監視支援システムＭＳｃにおける複数のセンサ装置ＳＵｃ−１〜ＳＵｃ−４それぞれ宛に、前記災い情報通知情報を収容する災い情報通知通信信号を生成し、この生成した災い情報通知通信信号をＳＶ通信ＩＦ部２１で送信し（Ｃ３４）、管理サーバ装置ＳＶｃから災い情報通知通信信号の受信によって前記災い情報通知情報の通知を受け付けると、センサ装置ＳＵｃは、ＳＵ滞在通知部１４６ｃによって、前記所定の時間の経過を計るタイマーをセットする（Ｃ３５）。
【０１４４】
一方、上述の処理Ｃ１および処理Ｃ２それぞれと同様に、センサ装置ＳＵｃは、イベントを検知すると（Ｃ３６）、この検知したイベントを通知するために、第１イベント通知通信信号を管理サーバ装置ＳＶｃへ送信する（Ｃ３７）。
【０１４５】
続いて、上述の処理Ｃ１６および処理Ｃ１７それぞれと同様に、センサ装置ＳＵｃから第１イベント通知通信信号を受信すると（Ｃ３８）、管理サーバ装置ＳＶｃは、監視処理部２２２ａによって、この受信した第１イベント通知通信信号による監視情報を記録（記憶）する（Ｃ３９）。
【０１４６】
ここで、監視処理部２２２ａは、災い情報通知判定部２２３ａから緊急地震速報メールの受信有りが通知されているので、上述のような第２イベント通知通信信号を生成せず、したがって、上述の第２イベント通知通信信号を送信しない。
【０１４７】
センサ装置ＳＵｃでは、前記タイマーがタイムアップすると（すなわち、前記災い情報通知情報の通知を受けた時刻から所定の時間の経過後に）、ＳＵ滞在通知部１４６ｃは、被監視者Ｏｂの部屋ＲＭに前記被監視者Ｏｂが滞在しているか否かを検知し、滞在有りを検知した場合に、ＳＵ滞在通知部１４６ｃは、自機のセンサＩＤ、および、前記滞在有りの検知結果を収容する第１滞在通知通信信号を管理サーバ装置ＳＶｃ宛に生成し、この生成した第１滞在通知通信信号をＳＵ通信ＩＦ部１５で送信する（Ｃ４０）。なお、滞在有りを検知しない場合（滞在無しを検知した場合）には、ＳＵ滞在通知部１４６ｃは、第１滞在通知通信信号を生成せずに、処理を終了する。
【０１４８】
続いて、センサ装置ＳＵｃから第１滞在通知通信信号を受信すると（Ｃ４１）、管理サーバ装置ＳＶｃは、ＳＶ滞在通知部２２８によって、この受信した第１滞在通知通信信号の送信元のセンサ装置ＳＵｃに対応する送信先の端末装置ＳＰ、ＴＡ宛に、第１滞在通知通信信号に収容されたセンサＩＤ、および、前記滞在有りの検知結果を収容する第２滞在通知通信信号を生成し、この生成した第２滞在通知通信信号をＳＶ通信ＩＦ部２１で送信する（Ｃ４２）。
【０１４９】
続いて、管理サーバ装置ＳＶｃから第２滞在通知通信信号を受信すると（Ｃ４３）、端末装置ＳＰ、ＴＡは、第２滞在通知通信信号に収容されたセンサＩＤを持つセンサ装置ＳＵｃで滞在有りを検知したことを表示する（Ｃ４４）。
【０１５０】
本実施形態における被監視者監視支援システムＭＳｃは、イベントの通知に関し、上述のように動作する。
【０１５１】
以上説明したように、本実施形態における被監視者監視支援システムＭＳｃおよびこれに実装された被監視者監視支援方法ならびにこれに用いられた管理サーバ装置ＳＶｃは、第１実施形態と同様の作用効果を奏する。
【０１５２】
前記災いの発生の通知や前記発生の予告の通知があった場合に、自力で移動できる被監視者Ｏｂは、避難できるが、身体の不自由等により元々自力で移動できない被監視者Ｏｂや、避難中に転倒してしまった結果、自力で移動できなくなった被監視者Ｏｂは、取り残される虞がある。上記被監視者監視支援システムＭＳｃ、被監視者監視支援方法および管理サーバ装置ＳＶｃは、災い情報通知情報の通知を受けた時刻から所定の時間の経過後に、前記滞在有りを検知すると、前記滞在有りの検知結果を、センサ装置ＳＵｃから管理サーバ装置ＳＶｃを介して所定の端末装置ＳＰ、ＴＡへ通知するので、前記端末装置ＳＰ、ＴＡを扱う監視者ＮＳは、このような自力で移動できない被監視者Ｏｂの避難に対処することが可能となる。
【０１５３】
次に、別の実施形態について説明する。
（第４実施形態）
図１２は、前記被監視者監視支援システムにおける第４実施形態のセンサ装置の構成を示すブロック図である。図１３は、前記被監視者監視支援システムにおける第４実施形態の管理サーバ装置の構成を示すブロック図である。
【０１５４】
第４実施形態における被監視者監視支援システムＭＳｄは、第２実施形態における被監視者監視支援システムＭＳｂにおいて、被監視者Ｏｂの居室ＲＭに被監視者Ｏｂが滞在しているか否かを検知し、前記滞在有りの検知結果を所定の端末装置ＳＰ、ＴＡへ通知するものである。
【０１５５】
このような第４実施形態における被監視者監視支援システムＭＳｄは、例えば、図１に示すように、１または複数のセンサ装置ＳＵｄ（ＳＵｄ−１〜ＳＵｄ−４）と、管理サーバ装置ＳＶｄと、固定端末装置ＳＰと、１または複数の携帯端末装置ＴＡ（ＴＡ−１、ＴＡ−２）と、ゲートウェイＧＷと、館内放送設備ＢＣとを備え、これらは、ネットワークＮＷを介して通信可能に接続される。これら第４実施形態の被監視者監視支援システムＭＳｄにおける固定端末装置ＳＰ、携帯端末装置ＴＡ、ゲートウェイＧＷ、館内放送設備ＢＣおよびネットワークＮＷは、それぞれ、第１実施形態の被監視者監視支援システムＭＳａにおける固定端末装置ＳＰ、携帯端末装置ＴＡ、ゲートウェイＧＷ、館内放送設備ＢＣおよびネットワークＮＷと同様であるので、その説明を省略する。
【０１５６】
センサ装置ＳＵｄは、ネットワークＮＷを介して他の装置ＳＶｄ、ＳＰ、ＴＡと通信する通信機能等を備え、被監視者Ｏｂに関わる所定のイベント（事象）を、管理サーバ装置ＳＶｄの指示に従って管理サーバ装置ＳＶｄへ通知する装置である。本実施形態では、第２実施形態と同様に、管理サーバ装置ＳＶｄから通知の停止が指示されると、センサ装置ＳＵｄは、イベントを検知してもイベントを通知しない。管理サーバ装置ＳＶｄから通知の停止が指示されてない場合に、センサ装置ＳＵｄは、イベントを検知してイベントを通知する。そして、本実施形態では、センサ装置ＳＵｄは、被監視者Ｏｂの部屋ＲＭに前記被監視者Ｏｂが滞在しているか否かを検知する。センサ装置ＳＵｄは、管理サーバ装置ＳＶｃから前記停止指示情報の通知を受けた場合であって、前記停止指示情報の通知を受けた時刻から所定の時間の経過後に、滞在有りを検知した場合に、前記滞在有りの検知結果を前記管理サーバ装置ＳＶｄへ通知する。このようなセンサ装置ＳＵｄは、例えば、図１２に示すように、撮像部１１と、音入出力部１２と、ナースコール受付操作部１３と、ＳＵ制御処理部１４ｄと、ＳＵ通信ＩＦ部１５と、ＳＵ記憶部１６とを備える。これら第４実施形態のセンサ装置ＳＵｄにおける撮像部１１、音入出力部１２、ナースコール受付操作部１３、ＳＵ通信ＩＦ部１５およびＳＵ記憶部１６は、それぞれ、ＳＵ記憶部１６が、前記各種の所定のプログラムの１つとして、管理サーバ装置ＳＶｄから停止指示情報の通知を受けた場合に、イベントを検知した際にこの検知したイベントの管理サーバ装置ＳＶｄへの通知を停止するＳＵイベント通知停止プログラム、および、被監視者Ｏｂの部屋ＲＭに前記被監視者Ｏｂが滞在しているか否かを検知し、前記停止指示情報の通知を管理サーバ装置ＳＶｄから受けた場合であって前記停止指示情報の通知を受けた時刻から所定の時間の経過後に滞在有りを検知した場合に、前記滞在有りの検知結果を前記管理サーバ装置ＳＶｄへ通知するＳＵ滞在通知プログラムをさらに記憶する点を除き、第１実施形態のセンサ装置ＳＵａにおける撮像部１１、音入出力部１２、ナースコール受付操作部１３、ＳＵ通信ＩＦ部１５およびＳＵ記憶部１６と同様であるので、その説明を省略する。
【０１５７】
ＳＵ制御処理部１４ｄは、センサ装置ＳＵｄの各部１１〜１３、１５、１６を当該各部の機能に応じてそれぞれ制御し、被監視者Ｏｂに関わる所定のイベント（事象）を、管理サーバ装置ＳＶｄの指示に従って管理サーバ装置ＳＶｄへ通知するための回路である。ＳＵ制御処理部１４ｄは、例えば、ＣＰＵおよびその周辺回路を備えて構成される。ＳＵ制御処理部１４ｄは、前記各種の所定のプログラムが実行されることによって、ＳＵ制御部１４１、行動検知処理部１４２、ナースコール処理部１４３、ストリーミング処理部１４４、ＳＵイベント通知停止部１４５およびセンサ側滞在通知部（ＳＵ滞在通知部）１４６ｄを機能的に備える。これら第４実施形態のＳＵ制御処理部１４ｃにおけるＳＵ制御部１４１、行動検知処理部１４２、ナースコール処理部１４３およびストリーミング処理部１４４は、それぞれ、行動検知部１４２がＳＵイベント通知停止部１４５の指示に従って第１イベント通知通信信号の生成や送信を実行する点を除き、第１実施形態のＳＵ制御処理部１４ａにおけるＳＵ制御部１４１、行動検知処理部１４２、ナースコール処理部１４３およびストリーミング処理部１４４と同様であるので、その説明を省略する。第４実施形態のＳＵ制御処理部１４ｄにおけるＳＵイベント通知停止部１４５は、第２実施形態のＳＵ制御処理部１４ｂにおけるＳＵイベント通知停止部１４５と同様であるので、その説明を省略する。
【０１５８】
ＳＵ滞在通知部１４６ｄは、被監視者Ｏｂの部屋ＲＭに前記被監視者Ｏｂが滞在しているか否かを検知し、前記停止指示情報の通知を管理サーバ装置ＳＶｄから受けた場合であって前記停止指示情報の通知を受けた時刻から所定の時間の経過後に滞在有りを検知した場合に、前記滞在有りの検知結果を前記管理サーバ装置ＳＶｄへ通知するものである。より具体的には、ＳＵ滞在通知部１４６ｄは、まず、前記停止指示情報の通知を管理サーバ装置ＳＶｄから受けた場合に、前記所定の時間の経過を計るタイマーをセットする。前記所定の時間は、第３実施形態と同様に、例えば、自力で移動できる被監視者Ｏｂが避難行動を完了できる時間等を考慮して適宜に設定される。次に、前記タイマーがタイムアップすると（すなわち、前記停止指示情報の通知を受けた時刻から所定の時間の経過後に）、ＳＵ滞在通知部１４６ｄは、第３実施形態と同様に、被監視者Ｏｂの部屋ＲＭに前記被監視者Ｏｂが滞在しているか否かを検知する。次に、滞在有りを検知した場合に、ＳＵ滞在通知部１４６ｄは、第３実施形態と同様に、自機のセンサＩＤ、および、前記滞在有りの検知結果を収容する第１滞在通知通信信号を管理サーバ装置ＳＶｄ宛に生成し、この生成した第１滞在通知通信信号をＳＵ通信ＩＦ部１５で送信する。
【０１５９】
なお、ＳＵ滞在通知部１４６ｄは、前記被監視者に対応して設けられ、前記被監視者の部屋に前記被監視者が滞在しているか否かを検知し、滞在有りの検知結果を前記被監視者に対応して設けられたセンサ装置へ通知する滞在検知装置の一例に相当し、ＳＵ滞在通知部１４６ｄは、さらに、前記中央管理装置から前記停止指示情報の通知を受けた場合であって、前記停止指示情報の通知を受けた時刻から所定の時間の経過後に、前記滞在検知装置から、前記滞在有りの検知結果の通知を受けた場合に、前記滞在有りの検知結果を前記中央管理装置へ通知する第１滞在通知部の一例にも相当する。
【０１６０】
管理サーバ装置ＳＶｄは、ネットワークＮＷを介して他の装置ＳＵｄ、ＴＡ、ＳＰと通信する通信機能を備え、センサ装置ＳＵｄから前記所定のイベントの通知を受けると、被監視者Ｏｂに対する監視情報を管理し、前記所定のイベントを所定の端末装置ＳＰ、ＴＡへ通知し、クライアントの要求に応じたデータを前記クライアントに提供し、被監視者監視支援システムＭＳｄ全体を管理する装置である。そして、本実施形態では、災い情報の一例として緊急地震速報メールを受信した場合に、管理サーバ装置ＳＶｄは、センサ装置ＳＵｄに、管理サーバ装置ＳＶｄへのイベントの通知を停止させる。さらに、本実施形態では、管理サーバ装置ＳＶｄは、センサ装置ＳＵｄから、前記滞在有りの検知結果の通知を受けた場合に、前記滞在有りの検知結果を所定の端末装置ＳＰ、ＴＡへ通知する。このような管理サーバ装置ＳＶｄは、例えば、図１３に示すように、ＳＶ通信ＩＦ部２１と、ＳＶ制御処理部２２ｄと、ＳＶ記憶部２３とを備える。これら第４実施形態の管理サーバ装置ＳＶｄにおけるＳＶ通信ＩＦ部２１およびＳＶ記憶部２３は、それぞれ、ＳＶ記憶部２３が、前記各種の所定のプログラムの１つとして、災い情報通知判定部２２３ａで災い情報の通知有りを判定した場合に、センサ装置ＳＵｄに、管理サーバ装置ＳＶｄへのイベントの通知の停止を指示する停止指示情報を通知するＳＶイベント通知停止プログラム、および、センサ装置ＳＵｄから、前記滞在有りの検知結果の通知を受けた場合に、前記滞在有りの検知結果を所定の端末装置ＳＰ、ＴＡへ通知するＳＶ滞在通知プログラムをさらに記憶する点を除き、第１実施形態の管理サーバ装置ＳＶａにおけるＳＶ通信ＩＦ部２１およびＳＶ記憶部２３と同様であるので、その説明を省略する。
【０１６１】
ＳＶ制御処理部２２ｄは、管理サーバ装置ＳＶｄの各部２１、２３を当該各部の機能に応じてそれぞれ制御し、センサ装置ＳＵｄから前記所定のイベントの通知を受けると、被監視者Ｏｂに対する監視に関する監視情報を管理し、前記所定のイベントを所定の端末装置ＳＰ、ＴＡへ通知し、クライアントの要求に応じたデータを前記クライアントに提供し、被監視者監視支援システムＭＳｄ全体を管理するための回路である。そして、本実施形態では、ＳＶ制御処理部２２ｄは、災い情報通知判定部２２３ａで災い情報の通知有りを判定した場合に、センサ装置ＳＵｄに、管理サーバ装置ＳＶｄへのイベントの通知の停止を指示する停止指示情報を通知する。さらに、本実施形態では、ＳＶ制御処理部２２ｄは、センサ装置ＳＵｄから、前記滞在有りの検知結果の通知を受けた場合に、前記滞在有りの検知結果を所定の端末装置ＳＰ、ＴＡへ通知する。ＳＶ制御処理部２２ｄは、例えば、ＣＰＵおよびその周辺回路を備えて構成される。ＳＶ制御処理部２２ｄは、前記各種の所定のプログラムが実行されることによって、ＳＶ制御部２２１、監視処理部２２２ｂ、災い情報通知判定部２２３ａ、ＳＶイベント通知停止部２２４ｂ、館内放送処理部２２５、時計部２２６およびＳＶ滞在通知部２２８を機能的に備える。これら第４実施形態のＳＶ制御処理部２２ｄにおけるＳＶ制御部２２１、災い情報通知判定部２２３ａ、館内放送処理部２２５および時計部２２６は、それぞれ、第１実施形態のＳＶ制御処理部２２ａにおけるＳＶ制御部２２１、災い情報通知判定部２２３ａ、館内放送処理部２２５および時計部２２６と同様であるので、その説明を省略する。第４実施形態のＳＶ制御処理部２２ｄにおける監視処理部２２２ｂおよびＳＶイベント通知停止部２２４ｂは、それぞれ、第２実施形態のＳＶ制御処理部２２ｂにおける監視処理部２２２ｂおよびＳＶイベント通知停止部２２４ｂと同様であるので、その説明を省略する。第４実施形態のＳＶ制御処理部２２ｄにおけるＳＶ滞在通知部２２８は、第３実施形態のＳＶ制御処理部２２ｃにおけるＳＶ滞在通知部２２８と同様であるので、その説明を省略する。
【０１６２】
次に、本実施形態における被監視者監視支援システムＭＳｄの動作について説明する。図１４は、前記被監視者監視支援システムにおいて、災いの通知の有る場合でのイベントの通知に関する第４実施形態の動作を示すシーケンス図である。
【０１６３】
このような被監視者監視支援システムＭＳｄでは、各装置ＳＵｄ、ＳＶｄ、ＳＰ、ＴＡは、電源が投入されると、必要な各部の初期化を実行し、その稼働を始める。センサ装置ＳＵｄでは、その各種の所定のプログラムの実行によって、ＳＵ制御処理部１４ｄには、ＳＵ制御部１４１、行動検知処理部１４２、ナースコール処理部１４３、ＳＵストリーミング処理部１４４、ＳＵイベント通知停止部１４５およびＳＵ滞在通知部１４６ｄが機能的に構成される。管理サーバ装置ＳＶｄでは、その各種の所定のプログラムの実行によって、ＳＶ制御処理部２２ｄには、ＳＶ制御部２２１、監視処理部２２２ｂ、災い情報通知判定部２２３ａ、ＳＶイベント通知停止部２２４ｂ、館内放送処理部２２５、時計部２２６およびＳＶ滞在通知部２２８が機能的に構成される。
【０１６４】
災いの通知の無い場合（本実施形態では緊急地震速報メールを受信していない場合）でのイベントの通知に関する動作は、図４を用いて説明した第１実施形態の動作と同様であるので、その説明を省略する。
【０１６５】
次に、災いの通知の有る場合（本実施形態では緊急地震速報メールを受信した場合）でのイベントの通知に関する動作について説明する。
【０１６６】
図１４において、上述の処理Ｃ１１および処理Ｃ１２それぞれと同様に、緊急地震速報メールがインターネットＩＮに配信され（Ｃ５１）、管理サーバ装置ＳＶｄがこの緊急地震速報メールを受信し、災い情報通知判定部２２３ａは、緊急地震速報メールの受信を判定すると、緊急地震速報メールの受信をイベント通知停止部２２４ａおよび館内放送処理部２２５それぞれへ通知する（Ｃ５２）。
【０１６７】
続いて、上述の処理Ｃ１３と同様に、災い情報通知判定部２２３ａから緊急地震速報メールの受信有りが通知されると、館内放送処理部２２５は、前記館内放送指示通信信号を館内放送設備ＢＣへ送信し、館内放送指示通信信号を受信すると、館内放送設備ＢＣは、この受信した館内放送指示通信信号に収容された前記放送内容を館内放送する（Ｃ５３）。
【０１６８】
続いて、上述の処理Ｃ２４と同様に、災い情報通知判定部２２３ａから緊急地震速報メールの受信有りが通知されると、ＳＶイベント通知停止部２２４ｂは、被監視者監視支援システムＭＳｄにおける複数のセンサ装置ＳＵｄ−１〜ＳＵｄ−４それぞれ宛に、前記停止指示情報を収容する停止指示通知通信信号を生成し、この生成した停止指示通知通信信号をＳＶ通信ＩＦ部２１で送信し（Ｃ５４）、管理サーバ装置ＳＶｄから停止指示通知通信信号の受信によって前記停止指示情報の通知を受け付けると、センサ装置ＳＵｄは、ＳＵイベント通知停止部１４５によって、行動検知処理部１４２に対し、第１イベント通知通信信号の生成の停止を指示し、ＳＵ滞在通知部１４６ｄによって、前記所定の時間の経過を計るタイマーをセットする（Ｃ５５）。
【０１６９】
一方、上述の処理Ｃ１と同様に、センサ装置ＳＵｄは、イベントを検知すると（Ｃ５６）、行動検知処理部１４２は、ＳＵイベント通知停止部１４５から生成の停止を指示されているので、第１イベント通知通信信号を生成せず、したがって、第１イベント通知通信信号を管理サーバ装置ＳＶｄへ送信しない。この結果、第２イベント通知通信信号も管理サーバ装置ＳＶｄによって生成されず、したがって、第２イベント通知通信信号は、端末装置ＳＰ、ＴＡに受信されない。
【０１７０】
センサ装置ＳＵｄでは、前記タイマーがタイムアップすると（すなわち、前記停止指示情報の通知を受けた時刻から所定の時間の経過後に）、上述の処理Ｃ４０と同様に、ＳＵ滞在通知部１４６ｄは、被監視者Ｏｂの部屋ＲＭに前記被監視者Ｏｂが滞在しているか否かを検知し、滞在有りを検知した場合に、ＳＵ滞在通知部１４６ｄは、自機のセンサＩＤ、および、前記滞在有りの検知結果を収容する第１滞在通知通信信号を管理サーバ装置ＳＶｄ宛に生成し、この生成した第１滞在通知通信信号をＳＵ通信ＩＦ部１５で送信する（Ｃ５７）。なお、滞在有りを検知しない場合（滞在無しを検知した場合）には、ＳＵ滞在通知部１４６ｄは、第１滞在通知通信信号を生成せずに、処理を終了する。
【０１７１】
続いて、上述の処理Ｃ４１および処理Ｃ４２と同様に、センサ装置ＳＵｄから第１滞在通知通信信号を受信すると（Ｃ５８）、管理サーバ装置ＳＶｄは、ＳＶ滞在通知部２２８によって、この受信した第１滞在通知通信信号の送信元のセンサ装置ＳＵｄに対応する送信先の端末装置ＳＰ、ＴＡ宛に、第１滞在通知通信信号に収容されたセンサＩＤ、および、前記滞在有りの検知結果を収容する第２滞在通知通信信号を生成し、この生成した第２滞在通知通信信号をＳＶ通信ＩＦ部２１で送信する（Ｃ５９）。
【０１７２】
続いて、上述の処理Ｃ４３および処理Ｃ４４と同様に、管理サーバ装置ＳＶｄから第２滞在通知通信信号を受信すると（Ｃ６０）、端末装置ＳＰ、ＴＡは、第２滞在通知通信信号に収容されたセンサＩＤを持つセンサ装置ＳＵｄで滞在有りを検知したことを表示する（Ｃ６１）。
【０１７３】
本実施形態における被監視者監視支援システムＭＳｄは、イベントの通知に関し、上述のように動作する。
【０１７４】
以上説明したように、本実施形態における被監視者監視支援システムＭＳｄおよびこれに実装された被監視者監視支援方法ならびにこれに用いられた管理サーバ装置ＳＶｄは、第２実施形態と同様の作用効果を奏する。
【０１７５】
上記被監視者監視支援システムＭＳｄ、被監視者監視支援方法および管理サーバ装置ＳＶｄは、前記停止指示情報の通知を受けた時刻から所定の時間の経過後に、前記滞在有りを検知すると、前記滞在有りの検知結果を、センサ装置ＳＵｄから管理サーバ装置ＳＶｄを介して所定の端末装置ＳＰ、ＴＡへ通知するので、前記端末装置ＳＰ、ＴＡを扱う監視者ＮＳは、上述の自力で移動できない被監視者Ｏｂの避難に対処することが可能となる。
【０１７６】
次に、別の実施形態について説明する。
（第５実施形態）
図１５は、前記被監視者監視支援システムにおける第５実施形態のセンサ装置の構成を示すブロック図である。図１６は、前記被監視者監視支援システムにおける第５実施形態の管理サーバ装置の構成を示すブロック図である。
【０１７７】
第１ないし第４実施形態では、前記災い情報は、緊急地震速報メールによって通知される地震発生であったが、これに限定されるものではない。例えば、被監視者監視支援システムＭＳは、火災の発生を検知し、火災発生の検知結果を前記災い情報通知判定部へ通知する火災発生検知部をさらに備え、前記災い情報は、前記火災発生検知部によって通知される火災発生の検知結果であっても良い。あるいは、例えば、被監視者監視支援システムＭＳは、地震の発生を検知し、地震発生の検知結果を前記災い情報通知判定部へ通知する地震発生検知部をさらに備え、前記災い情報は、前記地震発生検知部によって通知される地震発生の検知結果であっても良い。これら上述の第１ないし第４実施形態における被監視者監視支援システムＭＳａ〜ＭＳｄは、緊急地震速報メールの受信に代え、前記火災発生検知部による火災発生の受信や、前記地震発生検知部による地震発生の受信を利用できるが、ここでは、その一例として、第２実施形態の被監視者監視支援システムＭＳｂにおいて、緊急地震速報メールの受信に代え、前記火災発生検知部による火災発生の受信を利用する実施形態について以下に説明する。なお、第１、第３および第４実施形態の被監視者監視支援システムＭＳａ、ＭＳｂ、ＭＳｄにおいて、緊急地震速報メールの受信に代え、前記火災発生検知部による火災発生の受信を利用する実施形態も以下と同様に説明できる。
【０１７８】
このような第５実施形態における被監視者監視支援システムＭＳｅは、例えば、図１に示すように、１または複数のセンサ装置ＳＵｅ（ＳＵｅ−１〜ＳＵｂ−ｅ）と、管理サーバ装置ＳＶｅと、固定端末装置ＳＰと、１または複数の携帯端末装置ＴＡ（ＴＡ−１、ＴＡ−２）と、ゲートウェイ（Ｇａｔｅ  ｗａｙ）ＧＷと、館内放送設備ＢＣとを備え、これらは、ネットワークＮＷを介して通信可能に接続される。これら第５実施形態の被監視者監視支援システムＭＳｅにおける固定端末装置ＳＰ、携帯端末装置ＴＡ、ゲートウェイＧＷ、館内放送設備ＢＣおよびネットワークＮＷは、それぞれ、第１実施形態の被監視者監視支援システムＭＳａにおける固定端末装置ＳＰ、携帯端末装置ＴＡ、ゲートウェイＧＷ、館内放送設備ＢＣおよびネットワークＮＷと同様であるので、その説明を省略する。
【０１７９】
そして、第５実施形態における被監視者監視支援システムＭＳｅは、さらに、火災の発生を検知し、火災発生の検知結果を、管理サーバ装置ＳＶｅにおける後述の災い情報通知判定部２２３ｅへ通知する火災発生検知部ＦＡをさらに備える。火災発生検知部ＦＡは、例えば、前記１または複数のセンサ装置ＳＵｅ（ＳＵｅ−１〜ＳＵｅ−４）に対応して設けられ、センサ装置ＳＵｅと通信可能に接続される火災報知器ＦＡ（ＦＡ−１〜ＦＡ−４）である。火災報知器ＦＡは、有線でセンサ装置ＳＵｅと通信可能に接続されて良く、あるいは、前記ネットワークＮＷや前記近距離無線通信でセンサ装置ＳＵｅと通信可能に接続されて良い。火災報知器ＦＡは、火災の発生を検知すると、火災発生の検知結果をセンサ装置ＳＵｅへ送信し、前記火災発生の検知結果をセンサ装置ＳＵｅを介して管理サーバ装置ＳＶｅの災い情報通知判定部２２３ｅへ通知する。より具体的には、火災報知器ＦＡは、火災の発生を検知すると、火災発生の検知結果を収容する通信信号（第１火災検知通知通信信号）をセンサ装置ＳＵｅへ送信する。
【０１８０】
なお、火災発生検知部ＦＡは、当該被監視者監視支援システムＭＳｅが配設された建物に配置され、ネットワークＮＷを介して管理サーバ装置ＳＵｅと通信可能に接続される１または複数の火災報知器ＦＡであっても良い。この火災報知器ＦＡは、火災の発生を検知すると、火災発生の検知結果をネットワークＮＷを介して管理サーバ装置ＳＶｅの災い情報通知判定部２２３ｅへ通知する。
【０１８１】
センサ装置ＳＵｅは、ネットワークＮＷを介して他の装置ＳＶｅ、ＳＰ、ＴＡと通信する通信機能等を備え、被監視者Ｏｂに関わる所定のイベント（事象）を、管理サーバ装置ＳＶｅの指示に従って管理サーバ装置ＳＶｅへ通知する装置である。本実施形態では、管理サーバ装置ＳＶｅから通知の停止が指示されると、センサ装置ＳＵｅは、イベントを検知してもイベントを通知しない。管理サーバ装置ＳＶｅから通知の停止が指示されてない場合に、センサ装置ＳＵｅは、イベントを検知してイベントを通知する。そして、本実施形態では、当該センサ装置ＳＵｅに対応して設けられた火災報知器ＦＡから火災発生の検知結果の通知を受け付けると、センサ装置ＳＵｅは、火災発生の検知結果を管理サーバ装置ＳＶｅへ通知する。このようなセンサ装置ＳＵｅは、例えば、図１５に示すように、撮像部１１と、音入出力部１２と、ナースコール受付操作部１３と、ＳＵ制御処理部１４ｅと、ＳＵ通信ＩＦ部１５と、ＳＵ記憶部１６とを備える。これら第５実施形態のセンサ装置ＳＵｅにおける撮像部１１、音入出力部１２、ナースコール受付操作部１３、ＳＵ通信ＩＦ部１５およびＳＵ記憶部１６は、それぞれ、ＳＵ記憶部１６が、前記各種の所定のプログラムの１つとして、管理サーバ装置ＳＶｅから停止指示情報の通知を受けた場合に、イベントを検知した際にこの検知したイベントの管理サーバ装置ＳＶｅへの通知を停止するＳＵイベント通知停止プログラム、および、火災報知器ＦＡから火災発生の検知結果の通知を受けた場合に、火災発生の検知結果を管理サーバ装置ＳＶｅへ通知する火災検知通知プログラムをさらに記憶する点を除き、第１実施形態のセンサ装置ＳＵａにおける撮像部１１、音入出力部１２、ナースコール受付操作部１３、ＳＵ通信ＩＦ部１５およびＳＵ記憶部１６と同様であるので、その説明を省略する。
【０１８２】
ＳＵ制御処理部１４ｅは、センサ装置ＳＵｅの各部１１〜１３、１５、１６を当該各部の機能に応じてそれぞれ制御し、被監視者Ｏｂに関わる所定のイベント（事象）を、管理サーバ装置ＳＶｅの指示に従って管理サーバ装置ＳＶｅへ通知するための回路である。そして、本実施形態では、ＳＵ制御処理部１４ｅは、火災報知器ＦＡから火災発生の検知結果の通知を受けた場合に、火災発生の検知結果を管理サーバ装置ＳＶｅへ通知する。ＳＵ制御処理部１４ｅは、例えば、ＣＰＵおよびその周辺回路を備えて構成される。ＳＵ制御処理部１４ｅは、前記各種の所定のプログラムが実行されることによって、ＳＵ制御部１４１、行動検知処理部１４２、ナースコール処理部１４３、ストリーミング処理部１４４、ＳＵイベント通知停止部１４５および火災検知通知部１４７を機能的に備える。これら第５実施形態のＳＵ制御処理部１４ｅにおけるＳＵ制御部１４１、行動検知処理部１４２、ナースコール処理部１４３およびストリーミング処理部１４４は、それぞれ、行動検知部１４２がＳＵイベント通知停止部１４５の指示に従って第１イベント通知通信信号の生成や送信を実行する点を除き、第１実施形態のＳＵ制御処理部１４ａにおけるＳＵ制御部１４１、行動検知処理部１４２、ナースコール処理部１４３およびストリーミング処理部１４４と同様であるので、その説明を省略する。第５実施形態のＳＵ制御処理部１４ｅにおけるＳＵイベント通知停止部１４５は、第２実施形態のＳＵ制御処理部１４ｂにおけるＳＵイベント通知停止部１４５と同様であるので、その説明を省略する。
【０１８３】
火災検知通知部１４７は、火災報知器ＦＡから火災発生の検知結果の通知を受けた場合に、火災発生の検知結果を管理サーバ装置ＳＶｅへ通知するものである。より具体的には、火災検知通知部１４７は、火災報知器ＦＡから第１火災検知通知通信信号を受信した場合に、自機のセンサＩＤおよび火災発生の検知結果を収容する通信信号（第２火災検知通知通信信号）を管理サーバ装置ＳＶｅ宛に生成し、この生成した第２火災検知通知通信信号をＳＵ通信ＩＦ部１５で送信する。
【０１８４】
管理サーバ装置ＳＶｅは、ネットワークＮＷを介して他の装置ＳＵｅ、ＴＡ、ＳＰと通信する通信機能を備え、センサ装置ＳＵｅから前記所定のイベントの通知を受けると、被監視者Ｏｂに対する監視情報を管理し、前記所定のイベントを所定の端末装置ＳＰ、ＴＡへ通知し、クライアントの要求に応じたデータを前記クライアントに提供し、被監視者監視支援システムＭＳｅ全体を管理する装置である。そして、本実施形態では、災い情報の一例として火災発生の検知結果をセンサ装置ＳＵｅを介して火災報知器ＦＡから受け付けた場合に、管理サーバ装置ＳＶｅは、センサ装置ＳＵｅに、管理サーバ装置ＳＶｅへのイベントの通知を停止させる。このような管理サーバ装置ＳＶｅは、例えば、図１６に示すように、ＳＶ通信ＩＦ部２１と、ＳＶ制御処理部２２ｅと、ＳＶ記憶部２３とを備える。これら第５実施形態の管理サーバ装置ＳＶｅにおけるＳＶ通信ＩＦ部２１およびＳＶ記憶部２３は、それぞれ、ＳＶ記憶部２３が、インターネットＩＮから緊急地震速報メールを受信したか否かを判定し、緊急地震速報メールを受信した場合には、緊急地震速報メールの受信をイベント通知停止部２２４ａおよび館内放送処理部２２５それぞれへ通知する災い情報通知判定プログラムに代え、センサ装置ＳＵｅから第２火災検知通知通信信号を受信したか否かを判定し、第２火災検知通知通信信号を受信した場合には、災い情報の通知有り（火災発生の検知結果の受信）をＳＶイベント通知停止部２２４ｂおよび館内放送処理部２２５それぞれへ通知する災い情報通知判定プログラムを記憶し、前記各種の所定のプログラムの１つとして、災い情報通知判定部２２３ｅで災い情報の通知有りを判定した場合に、センサ装置ＳＵｅに、管理サーバ装置ＳＶｅへのイベントの通知の停止を指示する停止指示情報を通知するＳＶイベント通知停止プログラムをさらに記憶する点を除き、第１実施形態の管理サーバ装置ＳＶａにおけるＳＶ通信ＩＦ部２１およびＳＶ記憶部２３と同様であるので、その説明を省略する。
【０１８５】
ＳＶ制御処理部２２eは、管理サーバ装置ＳＶｅの各部２１、２３を当該各部の機能に応じてそれぞれ制御し、センサ装置ＳＵｅから前記所定のイベントの通知を受けると、被監視者Ｏｂに対する監視に関する監視情報を管理し、前記所定のイベントを所定の端末装置ＳＰ、ＴＡへ通知し、クライアントの要求に応じたデータを前記クライアントに提供し、被監視者監視支援システムＭＳｅ全体を管理するための回路である。そして、本実施形態では、ＳＶ制御処理部２２ｅは、災い情報通知判定部２２３ｅで災い情報（火災発生の検知結果）の通知を受けたか否かを判定し、災い情報通知判定部２２３ｅで災い情報の通知有りを判定した場合に、センサ装置ＳＵｅに、管理サーバ装置ＳＶｅへのイベントの通知の停止を指示する停止指示情報を通知する。ＳＶ制御処理部２２ｅは、例えば、ＣＰＵおよびその周辺回路を備えて構成される。ＳＶ制御処理部２２ｅは、前記各種の所定のプログラムが実行されることによって、ＳＶ制御部２２１、監視処理部２２２ｂ、災い情報通知判定部２２３ｅ、ＳＶイベント通知停止部２２４ｂ、館内放送処理部２２５および時計部２２６を機能的に備える。これら第５実施形態のＳＶ制御処理部２２ｅにおけるＳＶ制御部２２１、館内放送処理部２２５および時計部２２６は、それぞれ、第１実施形態のＳＶ制御処理部２２ａにおけるＳＶ制御部２２１、館内放送処理部２２５および時計部２２６と同様であるので、その説明を省略する。第５実施形態のＳＶ制御処理部２２ｅにおける監視処理部２２２ｂおよびＳＶイベント通知停止部２２４ｂは、それぞれ、第２実施形態のＳＶ制御処理部２２ｅにおける監視処理部２２２ｂおよびＳＶイベント通知停止部２２４ｂと同様であるので、その説明を省略する。
【０１８６】
災い情報通知判定部２２３ｅは、災いの発生に関する災い情報の通知を受けたか否かを判定するものである。前記災い情報の通知を受けた場合には、災い情報通知判定部２２３ｅは、その旨（災い情報の通知有り）をＳＶイベント通知停止部２２４ｂおよび館内放送処理部２２５それぞれへ通知する。本実施形態では、災い情報通知判定部２２３ｅは、センサ装置ＳＵｅから第２火災検知通知通信信号を受信したか否かを判定し、第２火災検知通知通信信号を受信した場合には、災い情報の通知有り（火災発生の検知結果の受信）をＳＶイベント通知停止部２２４ｂおよび館内放送処理部２２５それぞれへ通知する。
【０１８７】
次に、本実施形態における被監視者監視支援システムＭＳｅの動作について説明する。図１７は、前記被監視者監視支援システムにおいて、災いの通知の有る場合でのイベントの通知に関する第５実施形態の動作を示すシーケンス図である。
【０１８８】
このような被監視者監視支援システムＭＳｅでは、各装置ＳＵｅ、ＳＶｅ、ＳＰ、ＴＡは、電源が投入されると、必要な各部の初期化を実行し、その稼働を始める。センサ装置ＳＵｅでは、その各種の所定のプログラムの実行によって、ＳＵ制御処理部１４ｅには、ＳＵ制御部１４１、行動検知処理部１４２、ナースコール処理部１４３、ＳＵストリーミング処理部１４４、ＳＵイベント通知停止部１４５および火災検知通知部１４７が機能的に構成される。管理サーバ装置ＳＶｅでは、その各種の所定のプログラムの実行によって、ＳＶ制御処理部２２ｅには、ＳＶ制御部２２１、監視処理部２２２ｂ、災い情報通知判定部２２３ｅ、ＳＵイベント通知停止部２２４ｂ、館内放送処理部２２５および時計部２２６が機能的に構成される。
【０１８９】
災いの通知の無い場合（本実施形態では緊急地震速報メールを受信していない場合）でのイベントの通知に関する動作は、図４を用いて説明した第１実施形態の動作と同様であるので、その説明を省略する。
【０１９０】
次に、災いの通知の有る場合（本実施形態では緊急地震速報メールを受信した場合）でのイベントの通知に関する動作について説明する。
【０１９１】
図１７において、火災報知器ＦＡは、火災発生を検知すると（Ｃ７１）、火災発生の検知結果を収容する第１火災検知通知通信信号を、自機に対応するセンサ装置ＳＵｅへ送信する（Ｃ７２）。
【０１９２】
続いて、第１火災検知通知通信信号を火災報知器ＦＡから受信すると（Ｃ７３）、センサ装置ＳＵｅは、火災検知通知部１４７によって、自機のセンサＩＤおよび火災発生の検知結果を収容する第２火災検知通知通信信号を管理サーバ装置ＳＶｅ宛に生成し、この生成した第２火災検知通知通信信号をＳＵ通信ＩＦ部１５で送信する（Ｃ７４）。
【０１９３】
続いて、管理サーバ装置ＳＶｅがこの第２火災検知通知通信信号を受信し、災い情報通知判定部２２３ｅは、第２火災検知通知通信信号の受信を判定すると、火災発生の検知結果の受信をＳＶイベント通知停止部２２４ｂおよび館内放送処理部２２５それぞれへ通知する（Ｃ７５）。
【０１９４】
続いて、災い情報通知判定部２２３ｅから火災発生の検知結果の受信有りが通知されると、館内放送処理部２２５は、火災発生の検知結果の受信有り表す放送内容および前記放送内容の放送を指示する命令（コマンド）等を収容する館内放送指示通信信号を館内放送設備ＢＣへ送信し、前記館内放送指示通信信号を受信すると、館内放送設備ＢＣは、この受信した館内放送指示通信信号に収容された前記放送内容を館内放送する（Ｃ７６）。
【０１９５】
続いて、本実施形態では、災い情報通知判定部２２３ｅから火災発生の検知結果の受信有りが通知されると、ＳＶイベント通知停止部２２４ｂは、被監視者監視支援システムＭＳｅにおける複数のセンサ装置ＳＵｅ−１〜ＳＵｅ−４それぞれ宛に、前記停止指示情報を収容する停止指示通知通信信号を生成し、この生成した停止指示通知通信信号をＳＶ通信ＩＦ部２１で送信し（Ｃ７７）、管理サーバ装置ＳＶｅから停止指示通知通信信号の受信によって前記停止指示情報の通知を受け付けると、センサ装置ＳＵｅは、ＳＵイベント通知停止部１４５によって、行動検知処理部１４２に対し、第１イベント通知通信信号の生成の停止を指示する（Ｃ７８）。
【０１９６】
一方、上述の処理Ｃ１と同様に、センサ装置ＳＵｅは、イベントを検知すると（Ｃ７９）、行動検知処理部１４２は、ＳＵイベント通知停止部１４５から生成の停止を指示されているので、第１イベント通知通信信号を生成せず、したがって、第１イベント通知通信信号を管理サーバ装置ＳＶｅへ送信しない。この結果、第２イベント通知通信信号も管理サーバ装置ＳＶｅによって生成されず、したがって、第２イベント通知通信信号は、端末装置ＳＰ、ＴＡに受信されない。
【０１９７】
本実施形態における被監視者監視支援システムＭＳｅは、イベントの通知に関し、上述のように動作する。
【０１９８】
以上説明したように、本実施形態における被監視者監視支援システムＭＳｅおよびこれに実装された被監視者監視支援方法ならびにこれに用いられた管理サーバ装置ＳＶｅは、災い情報の通知有り（本実施形態では火災発生の検知結果の受信有り）を判定した場合に、端末装置ＳＰ、ＴＡが受けるイベントの通知を停止するので、前記災いの発生の通知があっても、システムダウンや通知の集中を低減できる。
【０１９９】
上記被監視者監視支援システムＭＳｅ、被監視者監視支援方法および管理サーバ装置ＳＶｅは、イベントを検知して前記イベントを通知するセンサ装置ＳＵｅで前記検知したイベントの管理サーバ装置ＳＶｅへの通知を停止するので、システムダウンや通知の集中をより確実に低減でき、システムの通信トラフィックの増加も回避できる。
【０２００】
上記被監視者監視支援システムＭＳｅ、被監視者監視支援方法および管理サーバ装置ＳＶｅは、前記イベンが前記起床および前記離床を含むので、効果的に、システムダウンや通知の集中を低減できる。
【０２０１】
上記被監視者監視支援システムＭＳｅ、被監視者監視支援方法および管理サーバ装置ＳＶｅは、館内放送処理部２２５を備えるので、当該被監視者監視支援システムＭＳｅの配設されたところの被監視者Ｏｂおよび監視者ＮＳ等に、災い情報、本実施形態では緊急地震速報の受信を報知できる。
【０２０２】
上述の実施形態によれば、火災報知器ＦＡで検知した火災発生の際にシステムダウンや通知の集中を低減できる被監視者監視支援システムＭＳｅが提供できる。
【０２０３】
なお、上述において、火災報知器ＦＡに代え、地震計や振動センサ等を備えて構成された、地震の発生を検知し、地震発生の検知結果を災い情報通知判定部２２３ｅへ通知する地震発生検知部を備えることで、前記地震発生検知部で検知した地震発生の際にシステムダウンや通知の集中を低減できる被監視者監視支援システムＭＳｅが提供できる。なお、振動センサを備えて前記地震発生検知部が構成される場合には、前記地震発生検知部は、センサ装置ＳＵｅに組み込まれても良い。
【０２０４】
また、これら第１ないし第５実施形態では、センサ装置ＳＵ（ＳＵａ〜ＳＵｅ）が前記所定のイベントを検知する検知機能を備えたが、上述したように、管理サーバ装置ＳＶ（ＳＶａ〜ＳＶｅ）が前記検知機能を備えても良い。例えば、センサ装置ＳＵの撮像部１１で生成された画像がセンサ装置ＳＵから管理サーバ装置ＳＶへ送信され、管理サーバ装置ＳＶがこの受信した画像に基づいて前記所定の行動を検知し、センサ装置ＳＵのナースコール受付操作部１３で受け付けたナースコールがセンサ装置ＳＵから管理サーバ装置ＳＶへ送信され、管理サーバ装置ＳＶがこの受信したナースコールで前記ナースコールを検知しても良い。
【０２０５】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０２０６】
ＭＳａ〜ＭＳｅ  被監視者監視支援システム
ＳＵａ−１〜ＳＵａ−４、ＳＵｂ−１〜ＳＵｂ−４、ＳＵｃ−１〜ＳＵｃ−４、ＳＵｄ−１〜ＳＵｄ−４、ＳＵｅ−１〜ＳＵｅ−４、  センサ装置
ＳＶａ〜ＳＶｅ  管理サーバ装置
ＳＰ  固定端末装置
ＴＡ−１、ＴＡ−２  携帯端末装置
ＦＡ−１〜ＦＡ−４  火災報知器
１１  撮像部
１２  音入出力部
１３  ナースコール受付操作部
１４ａ〜１４ｅ  センサ側制御処理部（ＳＵ制御処理部）
１５  センサ側通信インターフェース部（ＳＵ通信ＩＦ部）
１６  センサ側記憶部（ＳＵ記憶部）
２１  サーバ側通信インターフェース部（ＳＶ通信ＩＦ部）
２２ａ〜２２ｅ  サーバ側制御処理部（ＳＶ制御処理部）
２３  サーバ側記憶部（ＳＶ記憶部）
１４１  センサ側制御部（ＳＵ制御部）
１４２  行動検知処理部
１４３  ナースコール処理部
１４４  ストリーミング処理部
１４５  センサ側イベント通知停止部（ＳＵイベント通知停止部）
１４６ｃ、１４６ｄ  センサ側滞在通知部（ＳＵ滞在通知部）
１４７  火災検知通知部（地震検知通知部）
２２１  サーバ側制御部（ＳＶ制御部）
２２２ａ、２２２ｂ  サーバ側監視処理部（ＳＶ監視処理部）
２２３ａ、２２３ｅ  災い情報通知判定部
２２４ａ  イベント通知停止部
２２４ｂ  サーバ側イベント通知停止部（ＳＶイベント通知停止部）
２２５  館内放送処理部
２２６  時計部
２２７  災い情報通知部
２２８  サーバ側滞在通知部（ＳＶ滞在通知部）
２３１  監視情報記憶部
２３２  装置間情報記憶部
２３３  センサ情報記憶部
２３４  端末情報記憶部
【図１】
2019212172.tif 000003
【図２】
2019212172.tif 000004
【図３】
2019212172.tif 000005
【図４】
2019212172.tif 000006
【図５】
2019212172.tif 000007
【図６】
2019212172.tif 000008
【図７】
2019212172.tif 000009
【図８】
2019212172.tif 000010
【図９】
2019212172.tif 000011
【図１０】
2019212172.tif 000012
【図１１】
2019212172.tif 000013
【図１２】
2019212172.tif 000014
【図１３】
2019212172.tif 000015
【図１４】
2019212172.tif 000016
【図１５】
2019212172.tif 000017
【図１６】
2019212172.tif 000018
【図１７】
2019212172.tif 000019